(57)【特許請求の範囲】
【請求項１】
基材と、
前記基材の外表面上または内部の第１測定点における第１温度を測定するための第１温度センサーと、
前記基材の外表面上または内部であって、かつ前記第１測定点とは異なる第２測定点における第２温度を測定するための第２温度センサーと、
前記基材の外表面上または内部であって、かつ前記第１測定点および前記第２測定点とは異なる第３測定点における第３温度を測定するための第３温度センサーと、
を備え、
前記第１温度、前記第２温度および前記第３温度に基づいて、前記第１〜第３温度の関係を規定する関数の定数を算出し、前記定数を用いた被測定体の深部温度の演算式に基づき、前記深部温度を決めることを特徴とする温度測定装置。
【請求項２】
請求項１記載の温度測定装置であって、
前記第１温度は、前記第２温度を変数とし、第１の傾きと第１の切片を有する第１の１次関数によって表され、
前記第１の切片は、前記第３温度を変数とし、第２の傾きと第２の切片を有する第２の１次関数によって表され、
前記定数は、前記第１の傾きと、前記第２の傾きと、前記第２の切片とに相当し、
第１測定で得られた前記第１温度をＴｂ１とし、前記第２温度をＴｐ１とし、前記第３温度をＴｏｕｔ１’とし、
第２測定で得られた前記第１温度をＴｂ２とし、前記第２温度をＴｐ２とし、前記第３温度をＴｏｕｔ２’とし、
第３測定で得られた前記第１温度をＴｂ３とし、前記第２温度をＴｐ３とし、前記第３温度をＴｏｕｔ３’として、
前記第１測定で得られた前記第１温度Ｔｂ１、前記第２温度Ｔｐ１および前記第３温度Ｔｏｕｔ１’と、前記第２測定で得られた前記第１温度Ｔｂ２、前記第２温度Ｔｐ２および前記第３温度Ｔｏｕｔ２’と、前記第３測定で得られた前記第１温度Ｔｂ３、前記第２温度Ｔｐ３および前記第３温度Ｔｏｕｔ３’と、に基づいて、前記第１の傾きと、前記第２の傾きと、前記第２の切片の値とを算出し、算出された前記第１の傾きと、前記第２の傾きと、前記第２の切片の値とを用いた前記演算式に基づき、前記深部温度を決める、
ことを特徴とする温度測定装置。
【請求項３】
請求項２記載の温度測定装置であって、
前記第１の傾きａと、前記第２の傾きｃと、前記第２の切片ｄとを、
【数１９】
0005578029.tif 000020
によって算出し、
前記深部温度Ｔｃを、
【数２０】
0005578029.tif 000021
によって表される前記演算式に基づいて決める、
ことを特徴とする温度測定装置。
【請求項４】
請求項１記載の温度測定装置であって、
第１測定で得られた前記第１温度をＴｂ１とし、前記第２温度をＴｐ１とし、前記第３温度をＴｏｕｔ１’とし、
第２測定で得られた前記第１温度をＴｂ２とし、前記第２温度をＴｐ２とし、前記第３温度をＴｏｕｔ２’として、
前記第１測定で得られた前記第１温度Ｔｂ１および前記第２温度Ｔｐ１と、前記第２測定で得られた前記第１温度Ｔｂ２および前記第２温度Ｔｐ２とを用いた前記深部温度の演算式に基づき、前記深部温度Ｔｃを決め、
前記演算式は、
【数２１】
0005578029.tif 000022
によって表されることを特徴とする温度測定装置。
【請求項５】
基材の外表面上、または前記基材の内部における異なる位置である第１測定点、第２測定点、および第３測定点における第１〜第３温度を測定する工程と、
前記第１〜第３温度に基づいて、前記第１〜第３温度の関係を規定する関数の定数を算出する工程と、
前記定数を用いた被測定体の深部温度の演算式に基づき、前記深部温度を決める工程と、
を含むことを特徴とする温度測定方法。
【発明の詳細な説明】
【技術分野】
【０００１】
本発明は、温度測定装置等に関する。
【背景技術】
【０００２】
例えば、基本的なバイタル情報である体温からは健康状態・基礎代謝状態・精神状態などの生体情報が得られる。人体あるいは動物の体温に基づいて、人または動物の健康状態、基礎代謝状態あるいは精神状態を推定する場合には、表層部の温度ではなく、深部の温度（深部温度）の情報が必要である。
【０００３】
また、例えば、炉や配管等の内部における温度を測定する場合に、炉や配管の外側に設けられた温度計測装置によって内部温度（すなわち深部温度）を測定できれば、温度測定装置を、炉や配管等の内部に設置するための工事が不要となり、また、内部の物質によって、温度測定装置が腐食する等の問題も生じない。
【０００４】
深部温度を測定する体温計は、例えば、特許文献１に記載されている。特許文献１では、人体上において、距離Ｌを隔てて並列に２つの温度測定部（第１温度測定部および第２温度測定部）を配置する。第１温度測定部の環境（大気）側には第１の断熱材が設けられており、第２温度測定部の環境（大気）側にも第２の断熱材が設けられており、第２の断熱材の材料を、第１の断熱材の材料とは異なる材料とすることによって、２つの温度測定部の熱抵抗値を異ならせ、これによって、２つの異なる熱流束を生じさせる。第１温度測定部は、第１の体表面温度ならびに第１の中間温度を測定し、第２温度測定部は、第２の体表面温度ならびに第２の中間温度を測定する。そして、これらの４点の温度データを用いて、所定の演算式によって深部温度を測定する。
【０００５】
すなわち、第１の熱流束に関して、第１温度測定部を流れる熱流束と、人体の深部から体表面に至るまでの熱流束が等しい点に着目し、これによって、深部温度と、測定された温度および熱抵抗とを関連付ける一つ目の式が得られる。同様に、第２の熱流束に関しても、深部温度と、測定された温度および熱抵抗とを関連付ける二つ目の式が得られる。連立方程式を解くことによって、人体の熱抵抗値が不明であったとしても、精度よく深部温度を求めることができる。
【先行技術文献】
【特許文献】
【０００６】
【特許文献１】特開２００６−３０８５３８号公報
【発明の概要】
【発明が解決しようとする課題】
【０００７】
特許文献１に記載される技術では、深部温度の算出に関して、温度測定部と、その周囲の環境（大気）との間における熱収支が考慮されていない。つまり、特許文献１に記載される技術では、熱収支が生じない、理想的な系を形成できることを前提としている。
【０００８】
しかし、温度測定部の小型化を、さらに促進した場合には、例えば、温度測定部の側面と環境（大気）との間での熱収支が顕在化し、熱収支の差分に対応する測定誤差を無視できなくなる。この点で、わずかながら測定誤差が生じるのは否めない。
【０００９】
本発明の少なくとも一つの態様によれば、より高精度な深部温度の測定が可能となる。
【課題を解決するための手段】
【００１０】
（１）本発明の温度測定装置の一態様は、温度測定部と、演算部と、前記温度測定部および前記演算部の動作を制御する制御部と、を含み、前記温度測定部は、被測定体に接触する接触面としての第１面を有する、熱媒体としての基材と、前記基材の第１測定点における温度を第１温度として測定する第１温度センサーと、前記基材の、前記第１測定点とは異なる第２測定点における温度を第２温度として測定する第２温度センサーと、前記基材の、前記第１測定点ならびに前記第２測定点とは異なる第３測定点における温度を、前記基材の周囲の環境の温度として代用する温度である第３温度として測定する第３温度センサーと、を有し、前記第１測定点、前記第２測定点および前記第３測定点は、前記基材の外表面上、または前記基材の内部に位置し、前記第１温度センサー、前記第２温度センサーおよび前記第３温度センサーは、前記環境の温度が異なるという条件の下で、前記第１温度、前記第２温度および前記第３温度を複数回、測定し、前記演算部は、前記複数回の測定によって得られた前記第１温度、前記第２温度および前記第３温度に基づいて、前記第１面から離れた、前記被測定体の深部における深部温度を、深部温度の演算式に基づいて求める。
【００１１】
従来例では、環境温度が一定であるという条件の下で、２つの温度測定部における断熱材の種類を異ならせて、２つの異なる熱流束を生成していたが、本態様では、環境温度が異なる、少なくとも２つの系の各々において熱流束を生じさせる生成する。なお、以下の説明で環境という用語を使用するが、環境は、例えば大気等の熱媒体であり、周囲媒体あるいは環境媒体と言い換えることができる。
【００１２】
従来例における熱流のモデルでは、２つの温度測定系における環境の温度(以下、環境温度という)は同じ値（つまり一定）となっている。よって、各系における深部温度と環境温度との間に生じる熱流が一定であり、従来例は、このことを前提条件としている。被測定体から環境に向かう、例えば鉛直方向の熱流が一定であるということは、その鉛直方向の熱流の一部が、例えば基材の側面を経由して環境に逃げるといった熱収支が生じないことを前提として成立する。
【００１３】
しかし、温度測定装置の小型化が促進され、基材のサイズが小さくなると、被測定体と環境との間の熱収支（例えば、基材の側面からの熱の逃げ等）が顕在化する。この場合、深部温度と環境温度との間に生じる熱流が一定であるという前提が満足されなくなる。
【００１４】
これに対して、本態様では、複数の熱流の系において、各熱流の一端は、温度変動が許容されている環境である。よって、複数の熱流の系の間で、環境温度と深部温度との間で生じる熱流が一定でなければならない、という、従来例のような制約が生じない。つまり、各系の熱流束には、熱収支による熱の移動が本来的に含まれており、環境温度（任意の温度）と被測定体の深部温度との間で、その熱収支の成分も含むような熱流が生じるだけである。
【００１５】
そして、このような熱流の系のモデルでは、基材における任意の２点（第１測定点と第２測定点）の温度（第１温度および第２温度）は、環境温度を変数（パラメーター）として含む式によって表すことができる。ここで、深部温度と環境温度とが等しいときは、熱収支はゼロとなる。よって、例えば、深部温度の演算を行う際に、深部温度と環境温度とが等しい、という条件を与えることによって、熱収支による測定誤差をゼロとすることができる。
【００１６】
また、深部温度を演算する演算式として、系が異なる２つの熱流束に基づいて測定された温度情報の差（の比）をとる形式の演算式を使用したとき、各系から得られた温度情報に含まれている、熱収支に対応する成分は相殺されて見えなくなる。つまり、基材と環境との間で熱収支が発生すること、あるいは、被測定体と環境との間で熱収支が発生することは、何ら問題とならない。
【００１７】
このような測定原理によって、被測定体の深部温度を、より高精度に測定することができる。熱収支が測定に与える影響は、一般に、温度測定装置を小型にするほど顕在化するが、本態様では、熱収支による誤差を抑制することができるため、温度測定装置の小型化と、極めて高精度な測定とを両立することができる。
【００１８】
また、本態様では、環境中に温度計を設けて環境温度Ｔｏｕｔを直接的に測定する代わりに、基材の外表面または内部に位置する第３測定点の温度（すなわち、第３温度）Ｔｏｕｔ’を第３温度センサーで測定する。そして、第３温度Ｔｏｕｔ’が、環境温度Ｔｏｕｔとして代用される。環境の温度(環境温度)Ｔｏｕｔを測定するために、基材の外に温度センサーを設けた場合、温度測定装置の小型化の点では不利となる。本態様では、基材に、３つの温度センサー、つまり、第１温度センサー、第２温度センサーならびに第３温度センサーを集約することができる。よって、温度測定装置の、さらなる小型化が可能となる。上述のとおり、第３温度Ｔｏｕｔ’は、深部温度の演算の際に、環境温度Ｔｏｕｔの代わりに使用される温度であり、環境温度Ｔｏｕｔとは区別される概念ではあるが、深部温度の演算上、環境温度Ｔｏｕｔに相当する温度として利用されるものである。つまり、第３温度Ｔｏｕｔ’は、基材の周囲の環境の温度に相当する温度ということもできる。よって、以下の説明では、「第３温度」を、「環境相当温度」という場合がある。
【００１９】
環境温度をＴｏｕｔとし、第３温度（環境相当温度）をＴｏｕｔ’としたとき、Ｔｏｕｔ＝Ｔｏｕｔ’となるのが理想的ではあるが、実際には、第３温度(環境相当温度)Ｔｏｕｔ’は、環境温度の影響を受けるだけではなく、被測定体と環境との間に生じる熱流の影響も受けることから、ＴｏｕｔとＴｏｕｔ’とは一致しないのが通常である。
【００２０】
但し、本態様で使用される深部温度の演算式では、測定値の絶対値ではなく、測定された複数の温度データ間の相対関係が重要であり、その相対関係が満たされるのであれば、環境温度Ｔｏｕｔを、第３温度Ｔｏｕｔ’で代用したとしても、測定精度自体には影響がない。
【００２１】
上述の相対関係とは、例えば、第１温度Ｔｂおよび第２温度Ｔｐが、環境温度Ｔｏｕｔに対して線形性があるとするとき、環境温度Ｔｏｕｔを第３温度Ｔｏｕｔ’で代用したときでも、同様の線形性が確保される、というような相対関係である。基材における任意の一点の温度は、環境温度Ｔｏｕｔを変数として含む１次関数で表すことができることから、第３温度Ｔｏｕｔ’も、環境温度Ｔｏｕｔに対する線形性を有しており、環境温度Ｔｏｕｔが決まれば、第３温度Ｔｏｕｔ’も、線形の関数によって一義的に定まる。よって、環境温度Ｔｏｕｔと、第１温度Ｔｂおよび第２温度Ｔｐとの間に成立する線形の関係は、第３温度Ｔｏｕｔ’と、第１温度Ｔｂおよび第２温度Ｔｐとの間にも、同様に成立すると考えることができる。このような理由によって、環境温度Ｔｏｕｔを、第３温度Ｔｏｕｔ’で代用したとしても、高い測定精度を確保することができる。
【００２２】
また、本態様の温度測定装置では、異なる環境温度の下で、複数回の温度測定（温度情報の取得）を実行し、得られた複数の温度データを用いて演算を実行することによって、深部温度を求めることができる。よって、基本的には、基材は一つ設ければよく、特許文献１に記載される従来例のように、２つの基材（２つの温度測定部）を設ける必要がない。よって、この点でも、温度測定装置の小型化が可能である。また、特許文献１の体温計では、各温度測定部の熱抵抗値を異ならせるために、温度測定部の表層部に、材料が異なる断熱材を設ける必要があったが、本態様では、基本的には、熱を伝達する熱媒体としての基材が一つあればよく、この点で、温度測定装置の構成を簡素化することができる。なお、基材としては、例えば、所定の熱伝導率（あるいは熱抵抗）をもつ材料（例えばシリコンゴム）を使用することができる。
【００２３】
（２）本発明の温度測定装置の他の態様では、前記制御部は、前記第１温度、前記第２温度および前記第３温度の測定の時間帯を、複数の時間帯に分割し、前記第１温度センサーおよび前記第２温度センサーに、一つの時間帯毎に所定間隔で複数回の温度測定を実行させ、また、前記演算部は、前記複数回の測定によって得られた複数の温度の測定データを用いた平均演算によって、一つの時間帯毎に、前記第１温度、前記第２温度および前記第３温度を決定し、前記一つの時間帯毎に決定された前記第１温度、前記第２温度および前記第３温度を用いて、前記深部温度の算出式による演算を実行して、前記被測定体の深部における深部温度を求める。
【００２４】
本態様では、「環境温度が異なるという条件の下で、第１温度、第２温度および第３温度を複数回、測定する」ことを担保するための測定方法の一例を明確化している。
【００２５】
「環境温度を異ならせる」ための方法としては、空調器等を利用する積極方法と、時間軸上での環境温度のゆらぎ（微小な変動）に着目して、測定タイミングを調整するという消極的な方法とがある。本態様は、後者の消極的な方法に関係する。
【００２６】
例えば、「基材の第１測定点における第１温度、基材の第２測定点における第２温度および基材の第３測定点における第３温度を３回測定する」とき、３回の測定間の時間間隔があまりに短いと、「異なる環境温度の下で３回測定する」という条件を満たすことができない場合がある。よって、本態様では、このような場合に、第１回目の測定用の第１時間帯と、第２回目の測定用の第２時間帯と、第３回目の測定用の第３時間帯と、を設ける。そして、第１時間帯において、複数回の温度測定を実行し、各測定結果の平均演算（単純な加算平均でもよく、重み付け平均でもよい）によって、第１回目の温度測定値を決定する。なお、「平均演算」という用語は広義に解釈するものとし、例えば複雑な演算式を利用する場合も含むものとする。
【００２７】
例えば、第１時間帯において、第１温度測定を、所定間隔で３回行って、第１温度に関して、３個の温度データが得られた場合に、その３個の温度データに基づく平均演算によって、第１回目の測定における第１温度を決定する。第２温度についても同様である。第３温度についても、第１時間帯において３回の測定を実行して、各測定によって得られた温度データに基づく平均演算によって、第１回目の測定に関する第３温度を得ることができる。
【００２８】
また、第２時間帯においても、複数回の温度測定を実行し、各測定結果の平均演算（単純な加算平均でもよく、重み付け平均でもよい）によって、第２回目の温度測定値を決定する。第３温度に関しても同様である。また、第３時間帯においても、複数回の温度測定を実行し、各測定結果の平均演算（単純な加算平均でもよく、重み付け平均でもよい）によって、第３回目の温度測定値を決定する。以上の例は一例であり、この例に限定されるものではない。
【００２９】
本態様の方法によれば、空調器等を用いて積極的に環境の温度を変化させることなく、第１温度、第２温度および第３温度に関して、異なる環境温度下で測定された複数の温度データを、比較的容易に得ることができる。
【００３０】
（３）本発明の温度測定装置の他の態様は、前記環境の温度を変化させることができる環境温度調整部を、さらに有し、前記制御部は、前記第１温度センサー、前記第２温度センサーおよび前記第３温度センサーに、前記複数回の測定を実行させるとき、１回の測定が終了する毎に、前記環境温度調整部によって前記環境の温度を変化させる。
【００３１】
本態様では、「環境温度が異なるという条件の下で、第１温度、第２温度および第３温度を複数回、測定する」ことを担保するための測定方法の他の例を明確化している。
【００３２】
本態様では、温度測定部が、さらに、環境温度調整部を備える。環境温度調整部は、環境温度を変化させる機能をもつ。環境温度調整部として、例えば、温度測定装置の外に設けられる外部の空調器の設定温度の調整器を使用することができる。また、環境温度調整部として、例えば、温度測定装置の内部に設けたファン（扇風機）や、気流を生じさせる気流生成部等を使用することができる。環境温度調整部を利用することによって、測定毎に、環境温度を確実に異ならせることができる。また、環境温度を正確な温度に設定することができる。また、例えば、第１測定時の環境温度と、第２測定時の環境温度との差を大きく設定することができる。
【００３３】
（４）本発明の温度測定装置の他の態様では、前記第１温度センサー、前記第２温度センサーおよび前記第３温度センサーが、前記複数回の測定を実行するタイミングを決めるタイミング制御情報を入力するタイミング制御情報入力部を、さらに有し、前記制御部は、タイミング制御情報入力部から前記タイミング制御情報が入力される毎に、前記第１温度センサー、前記第２温度センサーおよび前記第３温度センサーに温度測定を実行させる。
【００３４】
本態様では、温度測定部に、複数回の測定を実行するタイミングを決めるタイミング制御情報を入力するタイミング制御情報入力部を設ける。本態様では、「各測定毎に、環境温度が異なるという条件」は、ユーザー自身の行為によって担保されることを前提としている。
【００３５】
例えば、ユーザーは、第１回目の測定を行うとき、温度測定装置の外に設けられる外部の空調器の温度を第１の温度に設定し、設定から所定の時間が経過すると、タイミング制御情報入力部を経由して、タイミング制御情報を入力する。制御部は、タイミング制御情報入力部からタイミング制御情報が入力される毎に、第１温度センサー〜第３温度センサーに、例えば１回の温度測定を実行させる。以降、ユーザーは、空調器の温度を第２の温度に設定した後、タイミング制御情報を入力する、といった動作を繰り返し行えばよい。
【００３６】
本態様では、ユーザー自身が、各測定毎の環境温度を異ならせることから、温度測定装置自体が、環境温度を管理する負担が生じない。なお、以上の例は一例である。
【００３７】
（５）本発明の温度測定装置の他の態様では、前記第１温度が、前記第２温度ならびに前記第３温度を変数とし、かつ、複数の定数を含む関数により表されるとき、前記演算部は、測定された前記第１温度、前記第２温度および、前記第３温度に基づいて、前記複数の定数を算出し、算出された前記複数の定数を用いた、前記深部温度の算出式による演算によって、前記被測定体の深部温度を算出する。
【００３８】
被測定体の温度が変化すると、基材における被測定体側の第１温度が変化し、基材における環境測の第２温度も変化する。従来は、このような被測定体を起点とした、基材における２点の温度の変化のみに着目していた。本態様では、逆に、環境を起点とした、基材における温度の変化にも着目する。
【００３９】
つまり、環境（大気等）の温度が変化すれば、基材における環境側の第２温度Ｔｐが変化し、そして、基材における被測定体測の第１温度Ｔｂも変化する。コンピューターシミュレーションによって、この環境を起点とした、基材における２点の温度変化には、所定の規則性があることがわかった。
【００４０】
つまり、第１温度Ｔｂは、第２温度Ｔｐならびに環境温度Ｔｏｕｔを変数とし、かつ、複数の定数を含む関数により表すことができる。また、深部温度Ｔｃと環境温度Ｔｏｕｔとが等しいときは、熱収支はゼロとなる点に着目して、上述の関数を変形することによって、深部温度の算出式が得られる。
【００４１】
但し、算出式に基づいて深部温度を算出するためには、上述の関数に含まれる複数の定数の値を決める必要がある。そこで、演算部は、まず、例えば、複数回の測定の結果として得られた各温度データに基づいて、上述の複数の定数の値を算出する。但し、この演算に際しては、環境温度Ｔｏｕｔを、環境相当温度（第３温度）で代用する。このような温度データの代用を行ったとしても、高い測定精度が得られる点については、上述したとおりである。
【００４２】
次に、演算部は、各定数の値を用いて、算出式（補正演算式）による演算を実行して、深部温度を算出する。これによって、熱収支による影響が除去された、理想に近い深部温度が求められる。
【００４３】
（６）本発明の温度測定装置の他の態様では、前記第１温度は、前記第２温度を変数とし、第１の傾きと第１の切片を有する第１の１次関数によって表され、前記第１の１次関数の前記第１の切片は、前記第３温度を変数とし、第２の傾きと第２の切片を有する第２の１次関数によって表され、前記複数の定数は、前記第１の傾きと、前記第２の傾きと、前記第２の切片に相当し、第１測定で得られた前記第１温度をＴｂ１とし、前記第２温度をＴｐ１とし、前記第３温度をＴｏｕｔ１’とし、第２測定で得られた前記第１温度をＴｂ２とし、前記第２温度をＴｐ２とし、前記第３温度をＴｏｕｔ２’とし、第３測定で得られた前記第１温度をＴｂ３とし、前記第２温度をＴｐ３とし、前記第３温度をＴｏｕｔ３’としたとき、前記演算部は、前記第１測定で得られた前記第１温度Ｔｂ１、前記第２温度Ｔｐ１および前記第３温度Ｔｏｕｔ１’と、前記第２測定で得られた前記第１温度Ｔｂ２、前記第２温度Ｔｐ２および前記第３温度Ｔｏｕｔ２’と、前記第３測定で得られた前記第１温度Ｔｂ３、前記第２温度Ｔｐ３および前記第３温度Ｔｏｕｔ３’と、に基づいて、前記第１の傾きと、前記第２の傾きと、前記第２の切片の値を算出し、算出された前記第１の傾きと、前記第２の傾きと、前記第２の切片の値を用いた、前記深部温度の演算式による演算によって、前記被測定体の深部温度を算出する。
【００４４】
コンピューターシミュレーションによって、第１温度（基材の被測定体側の温度）は、第２温度（基材の環境側の温度）に対して線形性を有し、よって、第１温度は、第２温度を変数とし、第１の傾きと第１の切片を有する第１の１次関数によって表すことができることがわかった。すなわち、（第１温度）＝（第１の傾き）・（第２温度）＋（第１の切片）と表すことができる。
【００４５】
また、コンピューターシミュレーションによって、第１の１次関数における第１の切片は、第３温度に対して線形性を有し、よって、第１の１次関数の第１の切片は、第３温度を変数とし、第２の傾きと第２の切片を有する第２の１次関数によって表わすことができることがわかった。すなわち、（第１の切片）＝（第２の傾き）・（第３温度）＋（第２の切片）と表すことができる。
【００４６】
この結果、（第１温度）＝（第１の傾き）・（第２温度）＋（第２の傾き）・（第３温度）＋（第２の切片）と表すことができる。この関係式が、上述の（５）の態様において記載されている、「第２温度と第３温度を変数とし、かつ、複数の定数を含む関数」に相当する。したがって、「複数の定数」は、上述の式における、「第１の傾き」と、「第２の傾き」と、「第２の切片」に相当する。つまり、３つの定数の値を求める必要が生じる。
【００４７】
そこで、例えば、少なくとも３回の温度測定を実行し、温度測定毎に、一組の第１温度、第２温度ならびに第３温度を得る。得られた温度値を、上述の関数、すなわち、（第１温度）＝（第１の傾き）・（第２温度）＋（第２の傾き）・（第３温度）＋（第２の切片）という関係式に代入すると、３つの方程式、つまり、（第１の傾き）、（第２の傾き）ならびに（第２の切片）という３つの変数を含む３元連立方程式が得られる。この３元連立方程式を解くことによって、「複数の定数」、すなわち、「第１の傾き」と、「第２の傾き」と、「第２の切片」の値を決定することができる（但し、この方法に限定されるものではない）。
【００４８】
（７）本発明の温度測定装置の他の態様では、前記演算部は、前記第１の傾きをａとし、前記第２の傾きをｃとし、前記第２の切片をｄとしたとき、前記ａ，ｃ，ｄの値を、
【数１】
0005578029.tif 000002
によって算出し、前記演算部は、前記深部温度Ｔｃを、
【数２】
0005578029.tif 000003
によって表される、前記深部温度の演算式としての第１算出式によって算出する。
【００４９】
本態様では、上記（５）の態様で説明した複数の定数としての、「第１の傾き」、「第２の傾き」ならびに「第２の切片」を、複数の定数ａ，ｃ，ｄと表現する。
【００５０】
上述した、（第１温度）＝（第１の傾き）・（第２温度）＋（第２の傾き）・（第３温度）＋（第２の切片）という関数は、具体的には、「Ｔｂ＝ａ・Ｔｐ＋ｃ・Ｔｏｕｔ’＋ｄ」と表すことができる。Ｔｂは第１温度であり、Ｔｐは第２温度であり、Ｔｏｕｔ’は第３温度（環境相当温度）であり、ａ，ｃ，ｄは定数である。よって、上述した３元連立方程式は、下記の式によって表すことができる。
【数３】
0005578029.tif 000004
ゆえに、複数の定数（ａ，ｃ，ｄ）は、上述の逆行列を含む式によって求めることができる。
【００５１】
また、求められた、ａ，ｃ，ｄの各値を、第１算出式に代入して、演算を実行することによって、熱収支の影響を受けない、ほぼ理想的に補正された深部温度Ｔｃが得られる。
【００５２】
（８）本発明の温度測定装置の他の態様は、第１測定で得られた前記第１温度をＴｂ１とし、前記第２温度をＴｐ１とし、前記第３温度をＴｏｕｔ１’とし、第２測定で得られた前記第１温度をＴｂ２とし、前記第２温度をＴｐ２とし、前記第３温度をＴｏｕｔ２’とし、かつ、前記Ｔｏｕｔ２’の値が前記Ｔｏｕｔ１’とは異なる値であるとき、前記演算部は、前記第１測定で得られた前記第１温度Ｔｂ１および前記第２温度Ｔｐ１と、前記第２測定で得られた前記第１温度Ｔｂ２および前記第２温度Ｔｐ２と、を用いて、前記深部温度の演算式としての第２算出式による演算を実行して、前記深部温度Ｔｃを算出し、前記第２算出式は、
【数４】
0005578029.tif 000005
によって表される。
【００５３】
本態様では、少なくとも２回の温度測定（温度情報の取得）を実行し、各温度測定では、環境温度を異ならせる。このことは、第３温度Ｔｏｕｔ’の値を異ならせることを意味する。
【００５４】
第３温度を異にして、２回の温度測定を実行したとき、第１測定では、例えば、始端を被測定体の深部とし、終端を環境（大気等）とする第１の熱流束の系が構成されることになる。また、第２測定では、例えば、始端を被測定体の深部とし、終端を環境（大気等）とする第２の熱流束の系が構成される。環境温度Ｔｏｕｔ（ならびに第３温度Ｔｏｕｔ’）は、各系で異なることから、各系の熱流束は互いに異なる熱流束である。
【００５５】
これらの熱流束の系では、終端が環境であることから、従来例にて問題となる熱収支の差分という概念が生じない。つまり、その熱収支も含めて、環境温度Ｔｏｕｔ（ならびに第３温度Ｔｏｕｔ’）が一義的に定まるというだけである。
【００５６】
また、使用している基材の熱特性（例えば熱伝導率）は、第１の熱流束の系、第２の熱流束の系で同じである（これは、共通の基材を使用しているのだから、当然のことである）。つまり、熱抵抗の分布は、第１の系と第２の系との間で、何ら変化しない。よって、基材に第１測定点と第２測定を設定したとき、（第１測定点と第２測定点の温度の差）／（被測定体の深部温度Ｔｃと第１測定点の温度の差）は、第１の熱流束の系、第２の熱流束の系ともに同じである。よって、下記の式が成立する。
【数５】
0005578029.tif 000006
この式を、Ｔｃについて解くと、上述の第２算出式が得られる。従来例における、ΔＴｃという誤差成分の概念自体が生じないことから、第２算出式によれば、ほぼ理想的な深部温度Ｔｃが得られる。
【００５７】
すなわち、第２算出式は、系が異なる２つの熱流束に基づいて測定された温度情報の差の比をとる形式の演算式であることから、各温度情報に含まれている、熱収支に対応する成分は相殺されて見えなくなる。つまり、基材と環境との間で熱収支が発生すること、あるいは、被測定体と環境との間で熱収支が発生することは、何ら問題とならない。
【００５８】
第２算出式は、形式的には従来例における算出式と同じように見えるが、第２算出式は、従来例の算出式とは、根本的に異なる算出式である。つまり、第２算出式は、環境を終端とする２つの熱流束の系から得られたデータに基づいて、基材における熱抵抗の比が同じ（共通）であるという観点から導き出される算出式であり、根本的に異なるものである。
【００５９】
なお、本態様では、第３温度Ｔｏｕｔ’は、深部温度Ｔｃの算出自体には直接的には関係しない。但し、上述のとおり、第１測定における環境温度と、第２測定時の環境温度とは異なっている必要があり、両者が同じであるときは、正確な深部温度の算出ができない。よって、第３温度センサーで測定された第３温度Ｔｏｕｔ’は、算出可能条件（第１測定と第２測定における第３温度が異なるという条件）が満足されているかを確認するために、つまり、演算の可否の判断に使用することができる。
【図面の簡単な説明】
【００６０】
【図１】図１（Ａ）〜図１（Ｃ）は、第１の実施形態における、深部温度の測定方法を説明するための図
【図２】図２（Ａ）〜図２（Ｅ）は、温度センサーを、基材に設ける方法の一例について説明するための図
【図３】図３（Ａ）および図３（Ｂ）は、温度測定方法の一例、ならびに、その温度測定方法を実施するための温度測定装置の構成の一例を示す図
【図４】図４（Ａ）および図４（Ｂ）は、温度測定方法の他の例、ならびに、その温度測定方法を実施するための温度測定装置の構成の他の例を示す図
【図５】図５（Ａ）および図５（Ｂ）は、環境温度が一定であるという条件下における、第１温度と第２温度との間の関係、ならびに、その関係を深部温度の算出式に適用した場合の結果を示す図
【図６】図６（Ａ）〜図６（Ｃ）は、環境温度（ならびに第３温度）が一定であるという条件下における、第１温度と第２温度との間の関係、ならびに、その関係を深部温度の算出式に適用した場合の結果を示す図
【図７】図７（Ａ）〜図７（Ｄ）は、環境温度（ならびに環境相当温度）を変化させた場合における、第１温度と第２温度との間の関係、ならびに、その関係を深部温度の算出式に適用した場合の結果を示す図
【図８】図８（Ａ）〜図８（Ｄ）は、第１実施形態における、深部温度の測定方法を示す図
【図９】図９（Ａ）および図９（Ｂ）は、温度測定装置の全体構成の例を示す図
【図１０】図１０（Ａ）および図１０（Ｂ）は、無線通信を利用した温度測定装置の使用例を説明するための図
【図１１】第１実施形態における、深部温度の測定手順を示す図
【図１２】第３温度センサーの設置位置を異ならせたときの、各設置位置毎の、深部温度の算出結果を示す図
【図１３】深部温度の算出結果の一例を示す図
【図１４】深部温度の算出結果の他の例を示す図
【図１５】深部温度の算出結果の他の例を示す図
【図１６】深部温度の算出結果の他の例を示す図
【図１７】図１７（Ａ）および図１７（Ｂ）は、基材の内部における温度分布と測定結果との関係の一例を示す図
【図１８】図１８（Ａ）および図１８（Ｂ）は、基材の内部における温度分布と測定結果との関係の他の例を示す図
【図１９】第２の実施形態における、深部温度の測定方法を説明するための図
【図２０】図２０（Ａ）および図２０（Ｂ）は、特許文献１に示される従来例において、熱収支に起因する誤差成分が生じる理由を説明するための図
【図２１】図２１（Ａ）および図２１（Ｂ）は、本発明の第２実施形態において、熱収支に起因する誤差成分が生じない理由を説明するための図
【図２２】図２２（Ａ）および図２２（Ｂ）は、第２実施形態における、深部温度の測定手順と、第２実施形態における深部温度の算出結果例を示す図
【図２３】図２３（Ａ）〜図２３（Ｃ）は、特許文献１（特開２００６−３０８５３８号公報）の図５に記載される体温計の例を説明するための図
【図２４】熱流束が定常状態であるときの体温計の接触部モデルと、深部温度の算出式を示す図
【図２５】従来例における熱収支による測定誤差について説明するための図
【発明を実施するための形態】
【００６１】
本発明の実施形態について説明する前に、特許文献１に記載される、深部温度を求めるための演算式について、簡単に説明する。
【００６２】
図２３（Ａ）〜図２３（Ｃ）は、特許文献１（特開２００６−３０８５３８号公報）の図７に記載される体温計の例を説明するための図である。図２３（Ａ）では、特許文献１の図７の内容を、そのまま記載している。図２３（Ｂ）および図２３（Ｃ）は、特許文献１の図７に記載される例の動作を説明するために、今回、新規に追加した補助的な図である。
【００６３】
図２３（Ａ）に示されるように、体温計本体３は、人体２上に設けられている。体温計本体３は、第１温度測定部３Ａと第２温度測定部３Ｂを備えている。第１温度測定部３Ａは、人体２の体表面２Ａに接触する接触面３００Ａを有している断熱材３７と、熱流束調整手段として、断熱材３７と外気との間に設けられた第１の断熱材としての断熱材３８Ａとを備えている。また、温度測定部３Ｂは、温度測定部３Ａの接触位置から距離Ｌだけ離れた位置における体表面２Ａに接触する接触面３００Ｂを有している断熱材３７と、熱流束調整手段として、断熱材３７と外気との間に第２の断熱材としての断熱材３８Ｂを備えている。すなわち、断熱材３７は、第１温度測定部３Ａと第２温度測定部３Ｂとで共通しており、共通の熱抵抗値を有している。
【００６４】
第１温度測定部３Ａは、体表面２Ａの温度を第１の基準温度として測定する第１基準温度測定部としての体表面センサー３１Ａと、断熱材３７と断熱材３８Ａとの界面３０１Ａの温度を第１の参照温度として測定する第１参照温度測定部としての中間センサー３２Ａとを備えている。
【００６５】
また、温度測定部３Ｂは、体表面２Ａの温度を第２の基準温度として測定する第２基準温度測定部としての体表面センサー３１Ｂと、断熱材３７と断熱材３８Ｂとの界面３０１Ｂの温度を第２の参照温度として測定する第２の参照温度測定部としての中間センサー３２Ｂとを備えている。断熱材３８の材料は、断熱材３７の材料とは異なっている。したがって、第１温度測定部３Ａと第２温度測定部３Ｂとの間の熱抵抗値を異なり、各温度測定部には、異なる熱流束が生じることになる。
【００６６】
図２３（Ｂ）では、図２３（Ａ）に示される体温計本体の構造を簡略化して示している。図２３（Ｃ）では、図２３（Ｂ）に示される第１温度測定部３Ａおよび２温度測定部３Ｂにおける、熱抵抗と熱流束とが記載されている。
【００６７】
図２３（Ｃ）に示されるように、人体２の表層部の熱抵抗はＲｓであり、また、各温度測定部３Ａ，３Ｂと人体２との接触箇所には、接触抵抗Ｒｔが存在する。（Ｒｓ＋Ｒｔ）の値は不明である。また、共通の断熱材３７の熱抵抗はＲｕ０（既知）である。また、第１温度測定部３Ａの大気側に設けられる断熱材３８Ａの熱抵抗は（Ｒｕ１＋ＲＶ）である。なお、ＲＶは大気に近い表層部の熱抵抗である。また、第２温度測定部３Ｂの大気側に設けられる断熱材３８Ｂの熱抵抗は（Ｒｕ２＋ＲＶ）である。
【００６８】
また、図２３（Ｃ）では、体表面センサー３１Ａ，３１Ｂによって測定された温度をＴｂ１，Ｔｂ３とし、中間センサー３２Ａ，３２Ｂによって測定された温度をＴｂ２，Ｔｂ４とする。
【００６９】
図２３（Ｃ）の左側に太線の矢印で示されるように、第１温度測定部３Ａには、人体２の深部から、断熱材３７と断熱材３８Ａとが接触する界面３０１Ａに向かう熱流束が生じる。この熱流束は、人体２の深部（温度Ｔｃｏｒｅ）から体表面２Ａに向かう熱流束Ｑ（ｓ＋ｔ）と、体表面２Ａから界面３０１Ａに向かう熱流束Ｑｕ１と、に分けることができる。また、第２温度測定部３Ｂにおいても、人体２の深部から、断熱材３７と断熱材３８Ａとが接触する界面３０１Ａに向かう熱流束が生じ、この熱流束は、人体２の深部（温度Ｔｃｏｒｅ）から体表面２Ａに向かう熱流束Ｑ（ｓ＋ｔ）と、体表面２Ａから界面３０１Ａに向かう熱流束Ｑｕ２と、に分けることができる。
【００７０】
熱流束は、２点の温度の差を、２点間の熱抵抗値で除算して求めることができる。よって、熱流束Ｑ（ｓ＋ｔ）は、下記の式（Ａ）で示され、熱流束Ｑｕ１は、下記の式（Ｂ）で示され、熱流束Ｑｕ２は、下記の式（Ｃ）で示される。
Ｑ（ｓ＋ｔ）＝（Ｔｃｏｒｅ−Ｔｂ１）／（Ｒｓ＋Ｒｔ）・・・（Ａ）
Ｑｕ１＝（Ｔｂ１−Ｔｂ２）／Ｒｕ０・・・（Ｂ）
Ｑｕ２＝（Ｔｂ３−Ｔｂ４）／Ｒｕ０・・・（Ｃ）
ここで、人体２における熱流束と、温度測定部３Ａ，３Ｂにおける熱流束とは等しい。よって、Ｑ（ｓ＋ｔ）＝Ｑｕ１が成立し、同様に、Ｑ（ｓ＋ｔ）＝Ｑｕ２が成立する。
したがって、式（Ａ）ならびに式（Ｂ）から、下記（Ｄ）式が得られ、式（Ａ）と式（Ｃ）から、下記の式（Ｅ）が得られる。
Ｔｃｏｒｅ＝｛（Ｒｓ＋Ｒｔ）／Ｒｕ０｝・（Ｔｂ１―Ｔｂ２）＋Ｔｂ１・・・（Ｄ）
Ｔｃｏｒｅ＝｛（Ｒｓ＋Ｒｔ）／Ｒｕ０｝・（Ｔｂ３―Ｔｂ４）＋Ｔｂ３・・・（Ｅ）
図２４は、熱流束が定常状態であるときの体温計の接触部モデルと、深部温度の算出式を示す図である。この図２４の上側に示される図は、特許文献１の図４の内容を、ほぼそのまま記載した図である。図２４の上側の図に示されるように、２つの異なる熱流束（Ｑ（ｓ＋ｔ）とＱｕ１、Ｑ（ｓ＋ｔ）とＱｕ２）は、傾きが異なる直線で示される。各熱流束において、人体２における熱流束と、温度測定部３Ａ，３Ｂにおける熱流束とは等しいという条件より、上述のとおり、深部温度Ｔｃｏｒｅの算出式である（Ｄ）式と（Ｅ）式とが得られる。
【００７１】
式（Ｄ）と式（Ｅ）に基づいて、｛（Ｒｓ＋Ｒｔ）／Ｒｕ０｝の項を除去することができる。この結果、深部温度Ｔｃｏｒｅの算出式である、下記の式（Ｆ）が得られる。
【数６】
0005578029.tif 000007
この式（Ｆ）によれば、人体２における熱抵抗値に関係なく、人体２の深部温度Ｔｃｏｒｅを精度よく求めることができる。
【００７２】
図２５は、図２３に示した従来例において、熱収支による測定誤差が生じる様子を示している。なお、図２５では、説明の便宜上、各体表面センサー３１Ａ〜３２Ｂの測定温度を、Ｔ１〜Ｔ４と表記している。
【００７３】
図２５において、人体２と環境（ここでは大気）７との間、あるいは、温度測定部３Ａ，３Ｂと環境７との間に生じる熱収支（熱の授受）が、太線の破線の矢印で示されている。上述のとおり、人体２の深部から温度測定部３Ａ，３Ｂに向かう熱流束が生じるが、実際の温度測定に際して、熱流束の一部は、例えば、温度測定部３Ａ，３Ｂから環境（大気）７に逃げ、また、例えば、環境（大気）７から温度測定部３Ａ，３Ｂに熱が流入する。先に説明した、特許文献１に記載される技術では、熱収支が生じない、理想的な熱流束を前提としているため、この点で、わずかながら測定誤差が生じるのは否めない。
【００７４】
図２５の下側に示される式（Ｆ）では、従来例における深部温度Ｔｃｏｒｅを、真の深部温度Ｔｃと、熱収支による誤差成分ΔＴｃとに分けて記載してある。つまり、特許文献１に記載される測定方法では、測定された深部温度Ｔｃｏｒｅには、熱収支に伴う測定誤差が、わずかながら存在することになる。この熱収支に伴う誤差成分を、例えば、補正演算等によって除去することができれば、深部温度の測定精度を、さらに向上させることができる。
【００７５】
次に、本発明の実施形態について図面を参照して説明する。
【００７６】
（第１の実施形態）
図１（Ａ）〜図１（Ｃ）は、第１の実施形態における、深部温度の測定方法を説明するための図である。図１では、本実施形態における温度測定装置の要部（温度測定部）のみが記載されている。なお、温度測定装置の全体の構成例については、図９を用いて後述する。
【００７７】
まず、図１（Ａ）を参照する。本実施形態における温度測定装置は、基材４０と、基材４０の第１測定点ｐ１における温度を、第１温度Ｔｂとして測定する第１温度センサー５０と、基材４０の、第１測定点ｐ１とは異なる第２測定点ｐ２における温度を第２温度Ｔｐとして測定する第２温度センサー５２と、基材４０の、第１測定点ｐ１および第２測定点ｐ２とは異なる第３測定点ｐ３における温度を、基材４０の周囲の環境７の温度として代用する温度である第３温度Ｔｏｕｔ’として測定する第３温度センサー５５と、を有する。
【００７８】
ここで、環境温度Ｔｏｕｔは、例えば、基材４０の周囲の環境（例えば大気）７の温度を、例えば、その大気中に設置してある大気温度センサー５４で計測して得られる温度情報である。これに対して、「環境相当温度（第３温度）Ｔｏｕｔ’」は、例えば、基材４０に設けられている第３温度センサー５５によって測定される、深部温度の演算に際して、環境温度Ｔｏｕｔの代わりに代用される温度情報である。上述のとおり、第３温度Ｔｏｕｔ’は、深部温度の演算の際に、環境温度Ｔｏｕｔの代わりに使用する温度であり、環境温度Ｔｏｕｔとは区別される概念ではあるが、深部温度の演算上、環境温度Ｔｏｕｔに相当する温度として利用されるものである。つまり、第３温度Ｔｏｕｔ’は、基材の周囲の環境７の温度に相当する温度ということもできる。よって、以下の説明では、「第３温度」を、「環境相当温度」という場合がある。以下の説明では、正確な説明を行うために、環境温度Ｔｏｕｔと、第３温度Ｔｏｕｔ’を区別して取り扱う。
【００７９】
基材４０、第１温度センサー５０、第２温度センサー５２ならびに第３温度センサー５５は、温度測定部４３の構成要素である。また、第１測定点ｐ１、第２測定点ｐ２ならびに第３測定点ｐ３は、基材４０の、外表面または基材４０の内部に位置することができる。つまり、第１測定点ｐ１、第２測定点ｐ２ならびに第３測定点ｐ３は、基材４０の外表面上、または基材４０の内部に位置する任意の３点である。
【００８０】
第１測定点ｐ１は、基材４０における被測定体６側の測定点であり、第２測定点ｐ２は、環境７の側に位置する測定点である。また、第３測定点は、上述のとおり、環境７の温度（環境温度Ｔｏｕｔ）に相当する環境相当温度（第３温度）Ｔｏｕｔ’を測定するための測定点である。
【００８１】
基材４０は、被測定体６に接触する接触面である第１面ＳＲ１と、第１面ＳＲ１に対向する面であって、環境７側の面（つまり、基材４０の上面）である第２面ＳＲ２と、を有する。基材４０の第１面ＳＲ１は、被測定体６の表層部５の表面に接触した状態となっている。
【００８２】
基材４０の第２面ＳＲ２は、例えば、第１面ＳＲ１に対して平行な面である。また、基材４０は、熱を伝達する熱媒体である。基材４０としては、例えば、所定の熱伝導率（あるいは熱抵抗）をもつ材料（例えばシリコンゴム）を使用することができる。被測定体６は、人体であってもよく、また、炉や配管等の無機的な構造物であってもよい。
【００８３】
また、第１温度センサー５０、第２温度センサー５２ならびに第３温度センサー５５としては、例えば、温度値を抵抗値に変換するタイプの温度センサーを使用することができ、また、温度値を電圧値に変換するタイプの温度センサー等を使用することができる。なお、温度値を抵抗値に変換するタイプの温度センサーとしては、チップサーミスターや、サーミスターパターンがプリントされたフレキシブル基板、白金測温抵抗体等を採用することができる。また、温度値を電圧値に変換するタイプの温度センサーとしては、熱電対素子や、ＰＮ接合素子、ダイオード等を採用することができる。
【００８４】
被測定体６の深部４の深部温度はＴｃであり、この深部温度Ｔｃが測定対象となる温度である。図１（Ａ）の例では、破線の矢印で示されるように、被測定体６の深部４から環境７に向かう熱流（熱流束）Ｑａが生じている。
【００８５】
環境７は、例えば、大気等の熱媒体である。「環境」という表現は、「周囲媒体」あるいは「環境媒体」と言い換えることができる。基材４０の周囲の媒体に、大気の構成成分ではないガス成分が含まれるような場合であっても、その媒体は環境（周囲媒体、環境媒体）７ということができる。また、その媒体は、気体に限定されるものではない。
【００８６】
また、第１温度センサー５０および第２温度センサー５２は、環境７の温度（環境温度）Ｔｏｕｔの値が異なるという条件の下で、第１温度Ｔｐおよび第２温度Ｔｂを複数回（本実施形態では３回とする）、測定する。また、第３温度センサー５５は、環境温度Ｔｏｕｔに対応して温度値が変化する環境相当温度（第３温度）Ｔｏｕｔ’を、複数回（本実施形態では３回）、測定する。
【００８７】
深部温度Ｔｃを求めるためには、環境温度Ｔｏｕｔの温度情報が必要であるが、本実施形態では、環境温度Ｔｏｕｔを、環境相当温度Ｔｏｕｔ’で代用する。その理由は以下のとおりである。すなわち、環境温度Ｔｏｕｔを直接に測定するためには、基材４０の外の環境７中に、環境温度測定のための、個別の温度センサー（図１（Ａ）に示される大気温度センサー５４）を設ける必要がある。これに対して、環境相当温度Ｔｏｕｔ’を測定するのであれば、第３温度センサー５５を基材４０の外表面または内部に設けることができ、結果的に、３個のセンサー（第１温度センサー５０、第２温度センサー５２および第３温度センサー５５）を基材４０に集約することができ、温度測定装置の、さらなる小型化が可能となる。このように、温度測定装置の小型化を促進するという観点から、環境温度Ｔｏｕｔを、環境相当温度Ｔｏｕｔ’で代用するという構成を採用している。
【００８８】
ここで、環境温度をＴｏｕｔと、第３温度（環境相当温度）Ｔｏｕｔ’は、Ｔｏｕｔ＝Ｔｏｕｔ’となるのが理想的ではあるが、実際には、第３温度(環境相当温度)Ｔｏｕｔ’は、環境温度の影響を受けるだけではなく、被測定体と環境との間に生じる熱流Ｑａの影響も受けることから、ＴｏｕｔとＴｏｕｔ’とは一致しないのが通常である。
【００８９】
但し、本実施形態で使用される深部温度の演算式では、測定値の絶対値ではなく、測定された複数の温度データ間の相対関係が重要であり、その相対関係が満たされるのであれば、環境温度Ｔｏｕｔを、第３温度（環境相当温度）Ｔｏｕｔ’で代用したとしても、測定精度自体には影響がない。
【００９０】
上述の相対関係とは、例えば、第１温度Ｔｂおよび第２温度Ｔｐが、環境温度Ｔｏｕｔに対して線形性があるとするとき、環境温度Ｔｏｕｔを第３温度Ｔｏｕｔ’で代用したときでも、同様の線形性が確保される、というような相対関係である。基材における任意の一点の温度は、環境温度Ｔｏｕｔを変数として含む１次関数で表すことができることから、第３温度Ｔｏｕｔ’も、環境温度Ｔｏｕｔに対する線形性を有しており、環境温度Ｔｏｕｔが決まれば、第３温度Ｔｏｕｔ’も、線形の関数によって一義的に定まる。よって、環境温度Ｔｏｕｔと、第１温度Ｔｂおよび第２温度Ｔｐとの間に成立する線形の関係は、第３温度Ｔｏｕｔ’と、第１温度Ｔｂおよび第２温度Ｔｐとの間にも、同様に成立すると考えることができる。このような理由によって、環境温度Ｔｏｕｔを、第３温度Ｔｏｕｔ’で代用したとしても、高い測定精度を確保することができる。
【００９１】
被測定体の深部温度Ｔｃは、基本的には、環境温度Ｔｏｕｔと、第１温度Ｔｂならびに第２温度Ｔｐとの間に成立する関係に基づいて、複数回の温度測定による実測値を利用して、演算によって求めることができる。上述のとおり、環境温度Ｔｏｕｔの代わりに、第３温度（環境相当温度）Ｔｏｕｔ’を使用した場合でも、同様の関係が成立することから、以下の説明では、適宜、第３温度（環境相当温度）Ｔｏｕｔ’という表現を使用する。
【００９２】
第１測定点ｐ１の温度Ｔｐ（すなわち第１温度）ならびに第２測定点ｐ２の温度Ｔｂ（すなわち第２温度）は、共に、熱源としての深部温度Ｔｃの影響を受けて変動し、かつ、熱流の終端である環境７の温度Ｔｏｕｔの影響を受けて変動する。
【００９３】
例えば、第１温度Ｔｐ＝ＴＰＡとしたとき、第２温度Ｔｂ＝ａＴＰＡ＋ｂと表すことができる。ａは一次関数の傾き（第１の傾き）であり、ｂは、切片（第１の切片）である。また、第１の切片ｂは、環境温度Ｔｏｕｔに対して、すなわち、環境相当温度である第３温度Ｔｏｕｔ’に対して線形に変化する。すなわち、ｂ＝ｃＴｏｕｔ’＋ｄと表すことができる。ｃは一次関数の傾き（第２の傾き）であり、ｄは、切片（第２の切片）である。
【００９４】
温度測定部に含まれる演算部（図１では不図示，図３〜図５における参照符号７４）は、本実施形態においては、３回の測定によって得られた第１温度（Ｔｂ１〜Ｔｂ３）および第２温度（Ｔｐ１〜Ｔｐ３）、ならびに３回の測定に対応する異なる値の第３温度（Ｔｏｕｔ１’〜Ｔｏｕｔ３’）に基づいて、第１面ＳＲ１から離れた、被測定体６の深部４における深部温度Ｔｃを、深部温度の演算式である第１算出式（式（１））による演算によって求める。つまり、Ｔｃ＝ｄ／（１−ａ−ｃ）となる。
【００９５】
第１算出式（式（１））は、深部温度Ｔｃと環境温度Ｔｏｕｔ（つまり、環境相当温度Ｔｏｕｔ’）とが等しいときは、熱収支はゼロとなるという点に着目して導出される（詳しい導出過程については後述する）。３回の測定によって得られた温度データから、定数ａ，ｃ，ｄを決定し、式（１）に代入することによって、深部温度Ｔｃが求まる。以下、式（１）を第１算出式という。これが本実施形態における深部温度Ｔｃの算出方法である。
【００９６】
なお、第１算出式（式（１））は、環境温度Ｔｏｕｔ（環境相当温度Ｔｏｕｔ’）が、深部温度Ｔｃに等しいという条件の下で、補正演算によって導き出される。つまり、補正演算式における条件の仮定上、Ｔｏｕｔ（Ｔｏｕｔ’）＝Ｔｃとされることから、実際に測定された環境相当温度Ｔｏｕｔ’が、環境温度Ｔｏｕｔと若干、異なっていることは、補正演算上、特に影響がない。
【００９７】
但し、第１算出式は、基材４０における温度分布が、環境温度Ｔｏｕｔに対して線形であることを前提としているため、演算に使用する環境温度Ｔｏｕｔ’の値と、実際の環境温度Ｔｏｕｔとの差が拡大した場合には、基材４０における温度分布が環境温度Ｔｏｕｔに対して線形であるという前提が満足されなくなる可能性があり、この場合には、深部温度の測定結果に誤差が生じる。この観点から、環境相当温度Ｔｏｕｔ’と環境温度Ｔｏｕｔとの差（誤差）は、小さくなるようにするのが好ましい。
【００９８】
従来例では、環境温度が一定であるという条件の下で、２つの温度測定部における断熱材の種類を異ならせて、２つの異なる熱流束を生成していたが、本実施形態では、環境温度が異なる、少なくとも２つの系において熱流束を生成する。なお、以下の説明で環境という用語を使用するが、環境は、例えば大気等の熱媒体であり、周囲媒体あるいは環境媒体と言い換えることができる。生じさせる。
【００９９】
従来例における熱流のモデルでは、２つの温度測定系における環境温度Ｔｏｕｔは同じ値（つまり一定）となっている。よって、各系における深部温度Ｔｃと環境温度Ｔｏｕｔ間に生じる熱流が一定であり、従来例は、このことを前提条件としている。被測定体から環境に向かう、例えば鉛直方向の熱流が一定であるということは、その鉛直方向の熱流の一部が、例えば基材の側面を経由して環境に逃げるといった熱収支が生じないことを前提として成立する。
【０１００】
しかし、温度測定装置の小型化が促進され、基材のサイズが小さくなると、被測定体と環境との間の熱収支（例えば、基材の側面からの熱の逃げ等）が顕在化する。この場合、深部温度Ｔｃと環境温度Ｔｏｕｔ間に生じる熱流が一定であるという前提が満足されなくなる。
【０１０１】
これに対して、本実施形態では、複数の熱流の系において、各熱流の一端は、温度変動が許容されている環境７であり、例えば、第１の系では、環境温度はＴｏｕｔ１（任意の温度）であり、第２の系では環境温度はＴｏｕｔ２（Ｔｏｕｔ１とは異なる任意の温度）である。よって、複数の熱流の系の間で、環境温度（Ｔｏｕｔ）と深部温度（Ｔｃ）との間で生じる熱流が一定でなければならない、という、従来例のような制約が生じない。つまり、各系の熱流束には、熱収支による熱の移動が本来的に含まれており、環境温度Ｔｏｕｔ（任意の温度）と被測定体の深部温度Ｔｃとの間で、その熱収支の成分も含むような熱流が生じるだけである。
【０１０２】
そして、このような熱流の系では、基材における任意の２点（第１測定点と第２測定点）の温度は、環境温度Ｔｏｕｔ、すなわち、環境相当温度である第３温度Ｔｏｕｔ’を変数（パラメーター）として含む式によって表すことができる。
【０１０３】
また、深部温度Ｔｃと環境温度Ｔｏｕｔ（つまり、第３温度Ｔｏｕｔ’）とが等しいときは、熱収支はゼロとなる。よって、例えば、深部温度Ｔｃの演算を行う際に、深部温度Ｔｃと環境温度Ｔｏｕｔ（第３温度Ｔｏｕｔ’）とが等しいという条件を与えることによって、熱収支による測定誤差をゼロとすることができる。
【０１０４】
次に、基材４０に位置する任意の３点のうち、どれを第１測定点ｐ１とし、どれを第２測定点ｐ２とし、どれを第３測定点ｐ３とするか、を決定する方法の一例について説明する。第１測定点ｐ１の位置（第１温度センサー５０の位置）、第２測定点ｐ２の位置（第２温度センサー５２の位置）ならびに第３測定点ｐ３の位置（第３温度センサー５５の位置）に関しては、種々のバリエーションが考えられる。ここで、図１（Ｂ）を参照する。
【０１０５】
上述したように、第１測定点ｐ１、第２測定点ｐ２ならびに第３測定点ｐ３は、基材４０の表面上や側面上、すなわち基材４０の外表面上に位置することができ、また、基材４０の内部に位置することもできる。ここで、第１測定点ｐ１、第２測定点ｐ２ならびに第３測定点ｐ３は、必ず異なる位置にある。
【０１０６】
図１（Ｂ）の例では、基材４０の内部に、３点（点ａ，点ｂ，点ｃ）を設定している。ここで、第３測定点ｐ３は、環境温度Ｔｏｕｔに相当する環境相当温度Ｔｏｕｔを計測するための測定点であることから、３点（点ａ〜点ｃ）のうちの、最も環境７との熱交換がし易い点（最も環境温度Ｔｏｕｔの影響を受ける点）を第３測定点に選ぶのが好ましい。つまり、環境７との間に存在する最小の熱抵抗の値が、他の２点よりも小さい測定点を、第３測定点とするのが好ましい。
【０１０７】
図１（Ｂ）において、３つの測定点ａ〜ｃにおける、環境７に至る最短の距離をＬ１，Ｌ２，Ｌ３とする。Ｌ１，Ｌ２，Ｌ３は０以上の値であり、また、図１（Ｂ）の例では、Ｌ２≦Ｌ３≦Ｌ１である。つまり、Ｌ２が最も小さい。よって、測定点ｂが、最も環境７との熱交換がし易い点である。したがって、図１（Ｂ）の例では、測定点ｂを、環境相当温度Ｔｏｕｔ’を測定するための第３測定点ｐ３とする。
【０１０８】
次に、残る２点（測定点ａと測定点ｃ）のうちの、いずれを第１測定点ｐ１とするかについて説明する。第１測定点ｐ１は、被測定体６側の測定点であることから、被測定体６により近い方の測定点、つまり、熱源としての被測定体６の深部４により近い方の測定点を、第１測定点ｐ１とするのが好ましい。
【０１０９】
そこで、図１（Ｂ）において、基材４０の接触面ＳＲ１に垂直な垂線の方向における、第１面（接触面）ＳＲ１からの距離を考える。ａ点の距離はＬＡであり、ｂ点の距離はＬＢであり、ｃ点の距離はＬＣである。なお、基材４０の高さ（第１面ＳＲ１から第２面ＳＲ２までの距離）をＬＤとする。図１（Ｂ）の例では、ＬＡ＜ＬＢ＜ＬＣであり、ＬＡが最も小さい。
【０１１０】
つまり、測定点ａは、測定点ｃよりも、被測定体６の近くに位置している。したがって、図１（Ｂ）の例では、測定点ａを、被測定体６側の測定点ｐ１とする。結果的に、第３測定点ｃが、環境側の測定点である第２測定点ｐ２となる。このようにして、基材４０に位置する任意の３点に関して、第１測定点ｐ１〜第３測定点ｐ３を決定することができる。但し、この決定方法は一例であり、この方法に限定されるものではない。
【０１１１】
次に、第１測定点ｐ１と第２測定点ｐ２との位置関係について、図１（Ｃ）を参照して説明する。なお、第１測定点ｐ１と第２測定点ｐ２を種々、変化させて、深部温度を測定した結果については、図１３〜図１８を用いて後述する。
【０１１２】
上述したとおり、第１測定点ｐ１は、被測定体６側の測定点とし、第２測定点ｐ２は、環境（大気）７側の測定点である。図１（Ｃ）に示すように、基材４０の接触面ＳＲ１に垂直な垂線の方向における、第１面（接触面）ＳＲ１からの距離を考え、第１測定点ｐ１の距離をＬＡとし、第２測定点ｐ２の距離をＬＢとする。基材４０の高さをＬＣとし、基材４０の高さ（第１面ＳＲ１から第２面ＳＲ２までの距離）をＬＤとする。
【０１１３】
距離ＬＡおよび距離ＬＢについては、０≦ＬＡ，ＬＢ≦ＬＣが成立し、かつ、ＬＡ≦ＬＢが成立する。つまり、第１測定点ｐ１および第２測定点ｐ２の、基材４０の第１面ＳＲ１からの距離ＬＡ，ＬＢは、０以上であり、基材４０の高さ（頂部における高さ）はＬＣ以内である。また、第１測定点ｐ１の、基材４０の第１面ＳＲ１からの距離ＬＡと、第２測定点ｐ２の、基材４０の第１面からの距離ＬＢとを比較した場合、ＬＡ＜ＬＢであってもよく、また、ＬＡ＝ＬＢであってもよい。
【０１１４】
また、ＬＡ＜ＬＢのときは、第１測定点ｐ１の方が、第２測定点ｐ２よりも被測定体６の近くに位置している。ＬＡ＝ＬＢのときは、第１測定点ｐ１と第２測定点ｐ２とは、横一線の位置にあり、接触面ＳＲ１に垂直な垂線の方向の距離に関しては優劣がない。この場合、接触面ＳＲ１に平行な方向の距離（つまり、基材４０の側面までの距離）に関して差があるときは、基材４０の側面までの距離が小さい方を、環境７側の測定点である第２測定点ｐ２とすることができる。なお、ＬＡ＝ＬＢの場合でも、深部温度Ｔｃを正確に測定可能である点に関しては、図１６を用いて後述する。
【０１１５】
次に、図１（Ｄ）を参照して、基材における任意の３点（ａ〜ｃ）が横一線の位置に、並置されている場合について説明する。図１（Ｄ）の例では、ＬＡ＝ＬＢ＝ＬＣであり、各点ａ〜ｃに関して、接触面ＳＲ１に垂直な垂線方向の距離に関しては優劣がない。但し、接触面ＳＲ１に平行な方向の距離（つまり、基材４０の側面までの距離）Ｌ４〜Ｌ６に関して、Ｌ５＜Ｌ６＜Ｌ４が成立する。
【０１１６】
したがって、最も環境温度Ｔｏｕｔの影響を受ける点ｂを、環境相当温度Ｔｏｕｔ’を測定するための第３測定点とすることができる。また、点ａと点ｃに関して、点ｃは、点ａよりも環境７の近くに位置していることから、点ｃを環境側の温度（第２温度Ｔｐ）を測定するための第２測定点ｐ２とすることができる。結果的に、点ａは、被測定体６側の測定点である第１測定点ｐ１となる。
【０１１７】
このように、基材４０に任意の３点を設定したとき、被測定体６から各点までの距離の長短、環境７から各点までの距離の長短を総合的に勘案することによって、第１測定点ｐ１〜第３測定点ｐ３を定めることができる。
【０１１８】
次に、温度センサーを基材４０に設ける方法の一例について説明する。図２（Ａ）〜図２（Ｅ）は、温度センサーを、基材に設ける方法の一例について説明するための図である。ここでは、第１温度センサー５０（例えば熱電対素子で構成される）を例にとって説明する。以下に説明する方法は、第２温度センサー５２ならびに第３温度センサー５５についても、同様に適用することができる。
【０１１９】
図２（Ａ）は、基材４０（第１温度センサー５０を含む）の平面図および断面図を示している。平面図に示されるように、基材４０は、平面視で正方形の形状をしており、縦Ｙ１ならびに横Ｘ１は共に、例えば５０ｍｍである。また、断面図に示されるように、基材の高さＹ３は、例えば５ｍｍである。また、第１温度センサー５０は、基材４０に埋設されている。第１温度センサー５０の横Ｘ２は例えば０．５ｍｍであり、縦（高さ）Ｙ２は例えば０．５ｍｍである。基材４０としては、例えば、発砲ゴム（例えば天然のラテックスゴム）や発泡樹脂（例えば発砲ウレタン）を使用することができる。
【０１２０】
図２（Ｂ）および図２（Ｃ）は、第１温度センサー５０を基材４０に埋め込む方法の、一例を示している。図２（Ｂ）では、基材４０の側面から中央に向う横穴４７ａを形成し、その横穴４７ａを経由して、第１温度センサー５０を基材４０の内部に搬送し、そして、第１温度センサー５０を、基材４０のほぼ中央に設置する。
【０１２１】
また、図２（Ｃ）の例では、図２（Ｂ）における横穴４７ａの代わりに、縦穴４７ｂを形成している。
【０１２２】
図２（Ｄ）および図２（Ｅ）は、第１温度センサー５０を基材４０に埋め込む方法の、他の例を示している。図２（Ｄ）および図２（Ｅ）の例では、基材４０が、下側部分４０ａと上側部分４０ｂとに分割されている。下側部分４０ａと上側部分４０ｂとを貼り合わせる際に、第１温度センサー５０を、両部分４０ａ，４０ｂによって挟み込むことによって、結果的に、第１温度センサー５０を、基材４０の内部に位置させることができる。
【０１２３】
図２（Ｄ）の例の第１工程では、基材４０の上側部分４０ｂの一部に凹部３９を形成する。第２工程では、基材４０の上側部分４０ｂに形成されている凹部３９に、第１温度センサー５０を埋め込み、かつ、基材４０の下側部分４０ａの、上側部分４０ｂに対向する面上に、接着材５０を形成する。第３工程では、基材４０の下側部分４０ａと上側部分４０ｂとを貼り合わせる。但し、発砲ゴムや発泡樹脂は柔軟性があるため、凹部３９を設けずに、第１温度センサー５０を、基材４０の下側部分４０ａと上側部分４０ｂとで直接的に挟むこともできる。この例を図２（Ｅ）に示す。
【０１２４】
図２（Ｅ）の例の第１工程では、基材４０の下側部分４０ａには、凹部を形成しない。そして、第２工程では、基材４０の下側部分４０ａの、上側部分４０ｂに対向する面上に、接着材５０を形成し、その接着材５０上に、第１温度センサー５０を載置する。第３工程では、基材４０の下側部分４０ａと上側部分４０ｂとを貼り合わせる。基材４０は、柔らかい素材で構成される。よって、貼り合わせ時に、基材４０の上側部分４０ｂの中央部は、第１温度センサー５０を包み込むように変形する。なお、以上の例は一例であり、これらの方法に限定されるものではない。
【０１２５】
次に、「環境温度Ｔｏｕｔの値が異なるという条件の下で、第１温度Ｔｂ、第２温度Ｔｐならびに第３温度（環境相当温度）Ｔｏｕｔを複数回、測定する」ことを担保するための測定方法の例について説明する。
【０１２６】
図３（Ａ）および図３（Ｂ）は、温度測定方法の一例、ならびに、その温度測定方法を実施するための温度測定装置の構成の一例を示す図である。
【０１２７】
図３（Ａ）に示される温度測定装置は、温度測定部４３と、演算部７４と、温度測定部４３および演算部７４の動作を制御する制御部７３と、を含む。制御部７３は、上述の演算部７４に加えて、測定タイミング制御部７５を有している。測定タイミング制御部７５は、タイミング制御信号ＳＴ１を出力し、このタイミング制御信号ＳＴ１によって、第１温度センサー５０、第２温度センサー５２ならびに第３温度センサー５５による、第１温度Ｔｂ、第２温度Ｔｐならびに第３温度（環境相当温度）Ｔｏｕｔ３’の測定タイミングを変化させる。
【０１２８】
なお、環境７の温度を、空調器５７によって制御してもよい。但し、図４（Ａ）の例では、環境７の微視的な温度のゆらぎを利用するため、本例では、空調器５７の有無（あるいは空調器のオン／オフ）は問題としない。
【０１２９】
図３（Ｂ）に示されるように、第１温度Ｔｂ、第２温度Ｔｐならびに第３温度Ｔｏｕｔ’を得るために、第１測定期間〜第３測定期間が設けられる。制御部７３は、各測定期間毎に、複数回の温度測定あるいは温度情報の取得を実行し、得られたデータに基づいて、上述の第１算出式（式（１））による演算を実行して、深部温度Ｔｃを求める。
【０１３０】
「環境温度Ｔｏｕｔの値を異ならせるための方法としては、空調器等を利用する積極方法と、時間軸上での環境温度のゆらぎ（微小な変動）に着目して、測定タイミングを調整するという消極的な方法とがあるが、図３の例では、後者の消極的な方法が採用されている。
【０１３１】
例えば、基材４０の第１測定点ｐ１における第１温度Ｔｂ、ならびに基材４０の第２測定点ｐ２における第２温度Ｔｐを３回測定するとき、各測定間の時間間隔があまりに短いと、異なる環境温度の下で３回測定するという条件を満たすことができない場合がある。よって、本例では、第１回目の測定用の第１時間帯（つまり第１測定期間）と、第２回目の測定用の第２時間帯（つまり、第２測定期間）と、第３回目の測定用の第３時間帯（つまり、第３測定期間）とを設ける。
【０１３２】
各時間帯（測定期間）は、例えば１分（３つの時間帯の合計が３分）とすることができる。第１時間帯（第１測定期間）は、時刻ｔ１からｔ４の期間であり、例えば、２０秒毎に温度測定が実行される。つまり、時刻ｔ１，時刻ｔ２，時刻ｔ３において、３回の温度測定が実行され、図示されるような９個のデータが得られる。そして、これらのデータの平均演算（単純な加算平均でもよく、重み付け平均でもよい）によって、第１回目の温度測定値（Ｔｂ１，Ｔｐ１，Ｔｏｕｔ１’）が決定される。
【０１３３】
また、第２時間帯（第２測定期間）においても、３回の温度測定が実行され、各測定結果の平均演算（単純な加算平均でもよく、重み付け平均でもよい）によって、第２回目の温度測定値（Ｔｂ２，Ｔｐ２，Ｔｏｕｔ２’）が決定される。
【０１３４】
同様に、第３時間帯（第３測定期間）においても、３回の温度測定が実行され、各測定結果の平均演算（単純な加算平均でもよく、重み付け平均でもよい）によって、第３回目の温度測定値（Ｔｂ３，Ｔｐ３，Ｔｏｕｔ３’）が決定される。以上の処理を、第１ステップＳＴ１の処理とする。なお、平均演算という用語は、最も広義に解釈するものとする。
【０１３５】
次に、ステップＳ２において、得られたデータに基づいて、先に図１（Ａ）に示した、定数ａ，ｃ，ｄを算出する。次に、ステップＳ３において、第１算出式（式（１））に基づいて、深部温度Ｔｃを測定する。
【０１３６】
図３に示される例では、空調器等を用いて積極的に環境の温度を変化させることなく、第１温度Ｔｂ，第２温度Ｔｐならびに第３温度Ｔｏｕｔに関して、異なる環境温度Ｔｏｕｔ（つまり、異なる環境相当温度Ｔｏｕｔ’）の下で測定された複数の温度データを、比較的容易に得ることができる。
【０１３７】
図４（Ａ）および図４（Ｂ）は、温度測定方法の他の例、ならびに、その温度測定方法を実施するための温度測定装置の構成の他の例を示す図である。図４（Ａ）に示される温度測定装置には、複数回の温度測定を実行するタイミングを決めるための、タイミング制御情報を入力するタイミング制御情報入力部８３が設けられている。制御部７３は、タイミング制御情報入力部８３から、タイミング制御情報（ここでは、測定指示トリガーＴＧとする）が入力される毎に、例えば、第１温度センサー５０、第２温度センサー５２ならびに第３温度センサー５５に、温度測定を実行させる。
【０１３８】
図４の例では、「第３温度（環境温度Ｔｏｕｔ）の値を異ならせる」ことは、ユーザー自身の行為によって担保される。
【０１３９】
例えば、ユーザーは、第１回目の測定を行うとき、温度測定装置の外に設けられる外部の空調器５７の温度を第１の温度に設定し、例えば、設定から所定の時間が経過すると、タイミング制御情報入力部を経由して、タイミング制御情報としての測定指示トリガーＴＧ）を入力する。上述したように、制御部７３は、タイミング制御情報入力部８３からタイミング制御情報が入力される毎に、例えば、第１温度センサー５０、第２温度センサー５２ならびに第３温度センサー５５に温度測定を実行させる。測定タイミングは、測定タイミング制御部７５によって制御される。
【０１４０】
温度測定は、例えば、タイミング制御情報（測定指示トリガーＴＧ）の入力毎に１回行うことができ、また、タイミング制御情報の入力毎に複数回の温度測定を実行して、得られた測定値を平均する等して、測定値を求めてもよい。以降、ユーザーは、空調器５７の温度を第２の温度に設定した後、タイミング制御情報を入力し、次に、空調器５７の温度を第３の温度に設定した後、タイミング制御情報を入力する。例えば、ユーザーは、３回のタイミング制御情報を入力する。
【０１４１】
３回分の温度情報が取得されると、演算部７４は、取得された温度情報に基づく、深部温度Ｔｃを求めるための演算（算出式に基づく演算）を自動的に実行し、この結果、深部温度Ｔｃが求められる。求められた深部温度Ｔｃは、例えば、ユーザーに報知（表示、音声による通知等を含む）される。図３の例では、ユーザー自身が、空調器等を利用して、
各測定毎の環境温度を異ならせることから、温度測定装置自体が、環境温度を管理する負担が生じない。
【０１４２】
測定手順は、図４（Ｂ）のステップＳ４〜ステップＳ６のとおりである。なお、以上の例は一例である。
【０１４３】
図５（Ａ）および図５（Ｂ）は、温度測定方法の他の例、ならびに、その温度測定方法を実施するための温度測定装置の構成の他の例を示す図である。図５の例では、温度測定部が、環境温度Ｔｏｕｔを変化させることができる環境温度調整部ＣＤを有している。制御部７３は、そして、１回の温度測定が終了する毎に、環境温度調整部ＣＤによって環境温度Ｔｏｕｔを変化させる。これによって、Ｔｏｕｔ１≠Ｔｏｕｔ２≠Ｔｏｕｔ３が成立する。
【０１４４】
図５（Ａ）の例では、環境温度調整部ＣＤとして、例えば、温度測定装置の外に設けられる外部の空調器５７の設定温度を、遠隔制御によって調整する機能をもつ調整器ＣＣ１を使用している。調整器ＣＣ１の動作は、測定タイミング制御部７５からの制御信号ＳＴ２によって制御される。
【０１４５】
また、図５（Ｂ）の例では、環境温度調整部ＣＤとして、例えば、温度測定装置の内部に設けられた、気流生成部（例えば、気流の温度を変化させる機能を有する）ＣＣ２を使用する。気流生成部ＣＣ２は、ファン（扇風機）や、気流を噴射する微小ノズル等によって構成することができる。気流生成部ＣＣ２の動作は、測定タイミング制御部７５からの制御信号ＳＴ３によって制御される。
【０１４６】
環境温度調整部ＣＤを利用することによって、測定毎に、環境温度Ｔｏｕｔ（ならびに環境相当温度Ｔｏｕｔ’）を確実に異ならせることができる。また、環境温度Ｔｏｕｔ（ならびに環境相当温度Ｔｏｕｔ’）を正確な温度に設定することができる。また、例えば、第１測定時の環境温度Ｔｏｕｔ１（ならびに環境相当温度Ｔｏｕｔ’）と、第２測定時の環境温度Ｔｏｕｔ２（ならびに環境相当温度Ｔｏｕｔ’）との差を、大きく設定することもできる。なお、以上の例は一例である。
【０１４７】
次に、第１算出式（図１（Ａ）の式（１）を用いた深部温度Ｔｃの演算）について、図６〜図８を用いて、具体的に説明する。
【０１４８】
図６（Ａ）〜図６（Ｃ）は、環境温度（ならびに第３温度）が一定であるという条件下における、第１温度と第２温度との間の関係、ならびに、その関係を深部温度の算出式に適用した場合の結果を示す図である。
【０１４９】
図６（Ａ）において、基材４０には、第１温度センサー５０、第２温度センサー５２ならびに第３温度センサー５５が設けられている。基材４０、第１温度センサー５０、第２温度センサー５２ならびに第３温度センサー５５は、温度測定部４３の構成要素である。基材４０は、第１面（接触面）ＳＲ１と第２面（基材４０の上面）ＳＲ２とを有している。温度測定部４３は、被測定体６（例えば人体）６に、例えば、貼り付けられている。
【０１５０】
なお、環境７の温度はＴｏｕｔと表記され、第１温度センサー５０によって測定される第１温度はＴｂと表記され、第２温度センサー５２によって測定される第２温度はＴｐと表記され、第３温度センサー５５によって測定される第３温度（環境相当温度）はＴｏｕｔ’と表記される。
【０１５１】
図６（Ｂ）は、第２温度Ｔｐと第１温度Ｔｂとの関係を示す図である。図６（Ｂ）において、横軸はＴｐであり、縦軸は、第２温度Ｔｐおよび第１温度Ｔｂの温度Ｔである。環境温度（Ｔｏｕｔ）が一定である状態で、第１温度Ｔｐが線形に変化すると、第２温度Ｔｂも線形に変化する。つまり、第１温度Ｔｂは、第２温度Ｔｐに対して線形性を有する。
【０１５２】
図６（Ｂ）に示されるように、第１温度Ｔｂは、第２温度Ｔｐを変数とする１次関数によって表される。つまり、下記の式（２）が成立する。
【数７】
0005578029.tif 000008
ここで、ａは第１の傾きであり、ｂは第１の切片（または第１のオフセット値）であり、いずれも定数である。ＴｐがＴＰＡであるとき、Ｔｂ＝ａＴＰＡ＋ｂとなり、また、ＴｐがＴＰＢであるとき、Ｔｂ＝ａＴＰＢ＋ｂとなる。
【０１５３】
図６（Ｃ）は、２回の温度測定によって得られた温度データＴ１〜Ｔ４を、先に説明した深部温度の算出式に適用した場合の結果を示す図である。時刻ｔ１における温度測定によって、第１温度Ｔ１と第２温度Ｔ２が得られたとする。また、時刻ｔ２における温度測定によって、第１温度Ｔ３と第２温度Ｔ４が得られたとする。Ｔ１〜Ｔ４は、下記式（３）によって表される。
【数８】
0005578029.tif 000009
ここで、式（３）の各値を、式（４）（図２５に示す式（Ｆ）と同じ）に代入する。式（４）は、深部温度Ｔｃｏｒｅを求めるための算出式であるが、先に説明したように、熱収支による誤差ΔＴｃが含まれている。
【数９】
0005578029.tif 000010
この結果、式（５）が得られる。
【数１０】
0005578029.tif 000011
次に、図７を参照して、環境温度Ｔｏｕｔを変化させた場合、すなわち、環境相当温度Ｔｏｕｔ’を変化させた場合における、第１温度Ｔｂと、第２温度Ｔｐとの関係について考察する。図７（Ａ）〜図７（Ｄ）は、環境温度（ならびに環境相当温度）を変化させた場合における、第１温度と第２温度との間の関係、ならびに、その関係を深部温度の算出式に適用した場合の結果を示す図である。
【０１５４】
図７（Ａ）に示すように、変動する環境相当温度（第３温度）Ｔｏｕｔ’は、第３温度センサー５５によって測定される。先に説明したように、第２温度ＴｐをＴＰＡとしたとき、Ｔｂ＝ａＴＰＡ＋ｂと表すことができる。定数ｂは、第１切片（第１オフセット値）であり、この第１切片ｂは、環境相当温度（第３温度）Ｔｏｕｔ’に対する線形性を有する。
【０１５５】
つまり、図７（Ｂ）に示すように、環境相当温度（第３温度）Ｔｏｕｔ’が変動すると、第１切片ｂの値は、環境相当温度（第３温度）Ｔｏｕｔ’にしたがって、線形に変化する。したがって、下記の式（６）の関係が成立する。
【数１１】
0005578029.tif 000012
ここで、ｃ，ｄは共に定数である。ｃは、第２の傾きであり、ｄは、第２の切片である。環境相当温度（第３温度）Ｔｏｕｔ’がＴｏｕｔ１’であるとき、第１の切片ｂは、ｂ１（＝ｃＴｏｕｔ１’＋ｄ）となり、環境相当温度（第３温度）Ｔｏｕｔ’がＴｏｕｔ２’であるとき、第１の切片ｂは、ｂ２（＝ｃＴｏｕｔ２’＋ｄ）となる。
【０１５６】
図７（Ｃ）は、Ｔｏｕｔ１’における、第２温度Ｔｐと第１温度Ｔｂ（＝Ｔｂ１）との関係、ならびに、Ｔｏｕｔ２’における、第２温度Ｔｐと第１温度Ｔｂ（＝Ｔｂ２）との関係を示している。Ｔｏｕｔ’が、Ｔｏｕｔ１’からＴｏｕｔ２’に変化したとき、１次関数の傾き（第１の傾きａ）には変化がないが、第１の切片ｂの値が、ｂ１からｂ２に変化することから、ＴｐとＴｂとの関係を示す１次関数は、ｂ１とｂ２の差分の分だけ、平行にシフトされる。
【０１５７】
このように、第１温度Ｔｂは、第２温度Ｔｐだけでなく、環境相当温度（第３温度）Ｔｏｕｔ’に対しても線形の関係を示す。上記式（６）を、上記式（３）に示されるＴｂ＝ａＴｐ＋ｂという式に代入すると、下記の式（７）が得られる。
【数１２】
0005578029.tif 000013
この式（７）が、第２温度Ｔｐと、第３温度Ｔｏｕｔ’を変数として含み、かつ、複数の定数ａ，ｂ，ｃを含む関数である。この関数によって、第１温度Ｔｂと、第２温度Ｔｐおよび第３温度Ｔｏｕｔ’とが関係付けされる。
【０１５８】
また、上記の式（６）を、式（５）に代入すると、式（８）が得られる。
【数１３】
0005578029.tif 000014
ここで、熱の移動が温度差によって起こることから、熱収支による誤差ΔＴｃは、環境温度Ｔｏｕｔ（すなわち第３温度Ｔｏｕｔ’）と、深部体温Ｔｃの値が等しくなる場合には生じない。よって、式（８）において、Ｔｏｕｔ’＝ΔＴｃとし、ΔＴｃ＝０とする。すると、式（８）は、式（１）のように変形される。
【数１４】
0005578029.tif 000015
この式（１）が、熱収支による誤差を含まない深部温度Ｔｃを示している。但し、式（１）を解くためには、複数の定数ａ，ｃ，ｄの各値を定める必要がある。複数の定数ａ，ｃ，ｄは、上記の式（７）で表される関数によって、相互に関連付けられている。３つの定数の値を求めるためには、３元の連立方程式を解けばよい。よって、時間を異にして、少なくとも３回の温度測定を実行する。
【０１５９】
ここで、第１回目の測定時に、第１温度としてのＴｂ１、第２温度としてのＴｐ１、第３温度としてのＴｏｕｔ１’が得られ、第２回目の測定時に、第１温度としてのＴｂ２、第２温度としてのＴｐ２、第３温度としてのＴｏｕｔ２’が得られ、第３回目の測定時に、第１温度としてのＴｂ３、第２温度としてのＴｐ３、第３温度としてのＴｏｕｔ３’が得られたとする。
【０１６０】
これらの９個の測定データは、式（９）の行列式によって表現することができる
【数１５】
0005578029.tif 000016
よって、逆行列を含む式（１０）によって、複数の定数ａ，ｃ，ｄを求めることができる。
【数１６】
0005578029.tif 000017
複数の定数ａ，ｃ，ｄの各値が決定されると、各値を、式（１）に代入する。これによって、深部温度Ｔｃが得られる。
【０１６１】
図８（Ａ）〜図８（Ｄ）は、第１実施形態における、深部温度の測定方法を示す図である。図８（Ａ）に示すように、３点の温度、すなわち、第１温度Ｔｂ，第２温度Ｔｐ，第３温度Ｔｏｕｔ’を、少なくとも３回測定する。得られた９個の測定データ（Ｔｂ１，Ｔｐ１、Ｔｏｕｔ１’、Ｔｂ２，Ｔｐ２，Ｔｏｕｔ２’、Ｔｂ３，Ｔｐ３，Ｔｏｕｔ３’）は、図８（Ｂ）に示される行列式（９）によって、関係付けることができる。よって、複数の定数ａ，ｃ，ｄは、図９（Ｃ）に示される、行列式（１０）によって求めることができる。そして、図８（Ｄ）に示される式（１）によって、深部温度Ｔｃを算出することができる。
【０１６２】
次に、温度測定装置の全体構成について説明する。図９（Ａおよび図９（Ｂ）は、温度測定装置の全体構成の例を示す図である。
【０１６３】
図９（Ａ）の例では、第１温度センサー５０および第２温度センサー５２は、基材４０の内部に埋め込まれている。また、断熱材２０ａ上に、第３温度センサー５５が設けられている。第１温度センサー５０、第２温度センサー５２、基材４０、第３温度センサー５５は、第１ユニット１００を構成する。
【０１６４】
また、断熱材２０ｂ上には、第２ユニット２００が設けられる。第２ユニット２００は、制御部７３および演算部７４を含む。なお、演算部７４は、機能ブロックとして、定数算出部や深部温度算出部を含むことができる。また、第２ユニット２００には、図示はしないが、演算結果を報知する報知部（例えば表示部）を設けることもできる。
【０１６５】
また、図９（Ａ）の温度測定装置は、基材４０における第１面（接触面）ＳＲ１を、被測定体６の表面に貼付するための貼付構造１０を有している。貼付構造１０は、例えば、粘着テープにより構成することができる。粘着テープは、剥離紙８と、支持層（粘着層）９とを有することができる。
【０１６６】
貼付構造１０によって、第１ユニット１００を、被測定体６の表面に貼付することができる。したがって、温度測定装置の操作性ならびに携帯性が向上する。また、例えば、温度測定装置を、幼児や乳幼児などの体温の計測のために使用する場合、幼児等は、頻繁に体を動かすことから、温度測定装置と体表面との接触を、所定時間、良好に保持することが困難である。しかし、このような場合でも、貼付構造１０を用いて、温度測定装置の全体を、被測定体６の表面に貼付可能であることから、幼児や乳幼児が体を動かしたとしても、体表面と温度測定装置との接触状況を良好に維持できる。よって、正確かつ安定した温度測定な可能である。
【０１６７】
図９（Ｂ）の例では、第１ユニット１００と、第２ユニット２００とを分離した、別体の構成が採用されている。第１ユニット１００は、第１無線通信部ＣＡを含み、第２ユニット２００は、第２無線通信部ＣＢを含む。
【０１６８】
第１温度（Ｔｂ）の情報と第２温度（Ｔｐ）の情報、または、第１温度（Ｔｂ）の情報、第２温度（Ｔｐ）の情報および第３温度（Ｔｏｕｔ）の情報は、第１無線通信部ＣＡから第２無線通信部ＣＢに送信される。第２ユニットに設けられている演算部７４は、第２無線通信部ＣＢによって受信された、第１温度（Ｔｂ）の情報と第２温度（Ｔｐ）の情報、または、第１温度（Ｔｂ）の情報、第２温度（Ｔｐ）の情報および第３温度（Ｔｏｕｔ）の情報に基づいて演算を実行して、被測定体６の深部温度Ｔｃを求める。
【０１６９】
図９（Ｂ）の構成によれば、第１ユニット１００（例えば温度測定装置の本体）の構成部品の数を、最小限に抑制することができ、第１ユニット１００の軽量化が実現される。したがって、例えば、被測定体６としての被検者の体表面に、第１ユニット１００を長時間、接触させた場合であっても、被検者に大きな負担を与えることがない。よって、例えば、長時間にわたって、連続的に温度をモニタリングすることが可能となる。
【０１７０】
また、第１ユニット１００と第２ユニット２００との間で、無線通信による温度データの送受信を行うことができることから、第２ユニット２００を、第１ユニット１００からある程度、離して設置することが可能となる。また、無線通信を利用することから、通信用の配線が不要である。よって、第１ユニットの取扱い性が向上する。また、第１ユニット１００を、第２ユニット２００から完全に分離することができることから、第１ユニット１００の軽量化を、より促進することができる。
【０１７１】
図１０（Ａ）および図１０（Ｂ）は、無線通信を利用した温度測定装置の使用例を説明するための図である。図１０（Ａ）では、被測定体６としての幼児の胸部の体表面６Ａに、第１ユニット１００が装着（貼付）されている。また、第２ユニット２００は、被測定体６としての幼児を抱いた保護者（温度測定装置のユーザー）ＭＡの左手首に装着されている。ここでは、第２ユニット２００は、表示部としても機能するものとする。
【０１７２】
図１０（Ｂ）に示されるように、第１ユニット１００は、第１温度センサー５０と、第２温度センサー５２と、第３温度センサー５５と、Ａ／Ｄ変換部５６と、無線通信部ＣＡと、アンテナＡＮ１とを有している。また、第２ユニット２００は、無線通信部ＣＢと、制御部７３と、演算部７４と、表示部７７と、操作部７９と、記憶部８１とを有している。操作部７９は、図４に示されるタイミング制御情報入力部８３を兼ねることができる。
【０１７３】
演算部７４には、上述した複数の定数a，ｂ，ｄを算出するための算出式や、深部体温Ｔｃを算出するための算出式が記憶されている。また、記憶部８１には、受信された第１温度Ｔｂ、第２温度Ｔｐ、環境温度Ｔｏｕｔが記憶され、また、算出された複数の定数ａ，ｂ，ｄの値も記憶され、また、求められた深部体温Ｔｃも記憶される。
【０１７４】
記憶部８１は、複数の被測定体（ここでは被検者）に関する温度情報を記憶可能に構成されている。したがって、深部体温Ｔｃ等のデータを、被検体である幼児毎に記憶することができる。なお、記憶部８１には、温度情報以外にも、例えば、被測定体６（ここでは被検者である幼児）の氏名、年齢、測定日時などの測定情報を記憶させてもよい。この場合、これらの測定情報は、保護者（温度測定装置のユーザー）ＭＡが、操作部７９を操作して入力することができる。
【０１７５】
温度測定装置は、例えば、以下のように動作する。保護者ＭＡが、第２ユニット２００の操作部７９を操作することによって、第２ユニット２００の電源がオンされる。すると、無線通信部ＣＢから電波を送信する。この電波による電磁誘導によって、アンテナＡＮ１に起電力を発生させ、この起電力によって、第１ユニット１００内の電源（電池）をチャージする。すると、第１ユニット１００が起動し、第１温度センサー５０と、第２温度センサー５２と、第３温度センサー５５が起動する。そして、第１ユニット１００は、第２ユニット２００に向けて、スタンバイ信号を送信する。
【０１７６】
次に、第１ユニット１００内の制御部７３は、スタンバイ信号を受信すると、温度測定開始信号の送信を無線通信部ＣＢに指示する。第１ユニット１００は、温度測定開始信号を受信すると、第１温度センサー５０、第２温度センサー５２ならびに第３温度センサー５５による温度測定を開始する。なお、第１温度Ｔｂと、第２温度Ｔｐの測定は、被検者６の深部から体表面６Ａまでの伝熱が定常状態（平衡状態）となっている状態で行うのが好ましい。よって、温度測定開始信号の受信タイミングから、平衡状態が実現されるのに必要な時間が経過したタイミングで、温度測定を開始するのが好ましい。
【０１７７】
測定された温度情報（第１温度Ｔｂ、第２温度Ｔｐ、第３温度Ｔｏｕｔ）は、Ａ／Ｄ変換部５６でアナログ信号からデジタル信号に変換され、無線通信部ＣＡによって、第２ユニット２００に送信される。温度測定は、複数回実行され、測定毎に、測定データが送信される。各測定の実行間隔は、環境（大気等）の状況や傾向等を考慮して、適宜、調整することができる。
【０１７８】
第２ユニット２００内の演算部７４は、所定間隔で送られてくる、一組の第１温度Ｔｂ、第２温度Ｔｐ、第３温度Ｔｏｕｔのデータを記憶部８１に一旦、格納する。そして、必要な温度データがすべて得られると、上述した手順で、所定の演算を実行して、被検者（幼児）６の深部温度Ｔｃを測定する。測定された深部温度Ｔｃは、例えば、表示部７７に表示される。
【０１７９】
図１１は、第１実施形態における、深部温度の測定手順を示す図である。まず、温度データが取得される（ステップＳ１０）。温度データには、第１測定で得られた第１温度Ｔｂ１、第２温度Ｔｐ１、第３温度Ｔｏｕｔ１’と、第２測定で得られた第１温度Ｔｂ２、第２温度Ｔｐ２、第３温度Ｔｏｕｔ２’と、第３測定で得られた第１温度Ｔｂ３、第２温度Ｔｐ３、第３温度Ｔｏｕｔ３’と、が含まれる。
【０１８０】
次に、複数の定数ａ，ｃ，ｄが、算出される（ステップＳ２０）。次に、先に説明した第１算出式を用いて、深部温度を演算する（ステップＳ３０）。
【０１８１】
（深部温度の測定結果の例）
次に、第３温度センサー５５の設置位置を異ならせたときの、各設置位置毎の、深部温度Ｔｃの、コンピューターシミュレーションによる算出結果について説明する。本実施形態では、上述のとおり、環境７の温度（環境温度）Ｔｏｕｔの代わりに、基材４０に設けられた第３温度センサー５５によって測定された環境相当温度（第３温度）を使用する。
深部温度Ｔｃの測定精度を高めるためには、環境温度Ｔｏｕｔに追従して線形に変化する第３温度Ｔｏｕｔ’を、できるだけ正確に測定することが重要である。
【０１８２】
図１２は、第３温度センサーの設置位置を異ならせたときの、各設置位置毎の、深部温度の算出結果を示す図である。図１２の例では、複数の第３温度センサー５５を、基材４０の異なる位置に配置し、各温度センサーの測定値を用いて深部温度Ｔｃを算出し、測定精度を比較する。このことによって、環境相当温度Ｔｏｕｔ’を測定する第３温度センサー５５の、好ましい設置位置の例が明らかとなる。以下、具体的に説明する。
【０１８３】
図１２の例では、環境相当温度Ｔｏｕｔ’を測定するための第３温度センサー５５を、測定点ｐ３（ａ）〜測定点ｐ３（ｄ）の４点に設置する。
【０１８４】
測定点ｐ３（ａ）は、基材４０の側面の頂部（基材４０の第２面ＳＲ２付近）に位置する測定点であり、測定点ｐ３（ｂ）は、基材４０の側面の中央に位置する測定点であり、測定点ｐ３（ｃ）は、基材４０の側面の底部（基材４０の第１面ＳＲ１付近）に位置する測定点である。また、測定点ｐ３（ｄ）は、基材４０の内部（基材４０の中心付近）に位置する測定点である。なお、測定点ｐ３（ｂ）と測定点ｐ３（ｄ）は、ほぼ横一列に配置されている。
【０１８５】
図１２の例では、被測定体６として人体を想定しており、深部４の温度Ｔｃを３７℃に設定している。この実験では、表層部５に相当する構造体の材料として、ポリ塩化ビニール（ＰＶＣ）を使用している。ポリ塩化ビニールの熱伝導率は、０．１４４２８３（Ｗ／ｍ・Ｋ）である。また、表層部５に相当するＰＶＣ構造体（直方体）の厚みは２０ｍｍに設定している。また、このＰＶＣ構造体の上面の中央に、シリコンゴムで構成され、かつ、円柱形状を有する基材４０を設けている。シリコンゴムの熱伝導率は、０．０５（Ｗ／ｍ・Ｋ）である。
【０１８６】
また、基材４０の断面は円形状であり、その円の直径は２０ｍｍである。また、基材４０の高さは２ｍｍである。また、第１温度センサー５０と第２温度センサー５２は、基材４０の底面（つまり接触面）ＳＲ１に垂直な垂線Ｌ１上にある２点（第１測定点と第２測定点）の位置に設けられている。第１温度センサー５０と第２温度センサー５２との距離は２ｍｍである。つまり、第１測定点は、基材４０の底面（接触面）ＳＲ１上に設定されており、第２測定点は、基材４０の上面ＳＲ２上に設定されている。
【０１８７】
また、図１２の例において、環境（大気）７における熱伝達係数（大気の熱の移動度に比例する定数）は、０．０１Ｗ／ｍ２・Ｋに設定されている。なお、環境温度Ｔｏｕｔを測定するために、大気温度センサー５４が設けられている。
【０１８８】
図１２の例では、環境温度Ｔｏｕｔ、環境相当温度Ｔｏｕｔ’、第１温度Ｔｂならびに第２温度Ｔｐは、ｎ回測定される。本例では、３回（ｎ＝３）の温度測定を実行する。また、３回の測定毎に、環境温度Ｔｏｕｔ（Ｔｏｕｔ１〜Ｔｏｕｔ３）の値が変化する。Ｔｏｕｔ１は、２３℃であり、Ｔｏｕｔ２は３０℃であり、Ｔｏｕｔ３は３５℃である。
【０１８９】
実測データの例が、図３（Ｂ）の下側に表形式で示されている。Ｔｏｕｔ１〜Ｔｏｕｔ３に対応する第２温度Ｔｐを、Ｔｐ１〜Ｔｐ３とする。Ｔｐ１は２７．４６０５℃であり、Ｔｐ２は３２．２３０３℃であり、Ｔｐ３は３５．６３７２℃である。
【０１９０】
また、Ｔｏｕｔ１〜Ｔｏｕｔ３に対応する第１温度Ｔｂを、Ｔｂ１〜Ｔｂ３とする。Ｔｂ１は２９．２８８４℃であり、Ｔｂ２は３３．１４４２℃であり、Ｔｂ３は３５．８９８３℃である。
【０１９１】
また、測定点ｐ３（ａ）におけるＴｏｕｔ’を、Ｔｏｕｔ’（ａ）とし、Ｔｏｕｔ１〜Ｔｏｕｔ３に対応するＴｏｕｔ’（ａ）を、Ｔｏｕｔ’１（ａ），Ｔｏｕｔ’２（ａ），Ｔｏｕｔ’３（ａ）とする。このとき、Ｔｏｕｔ’１（ａ）は２６．２４８２℃であり、Ｔｏｕｔ’２（ａ）は３１．６２４１であり、Ｔｏｕｔ’３（ａ）は３５．８９８３℃である。
【０１９２】
また、測定点ｐ３（ｂ）におけるＴｏｕｔ’を、Ｔｏｕｔ’（ｂ）とし、Ｔｏｕｔ１〜Ｔｏｕｔ３に対応するＴｏｕｔ’（ｂ）を、Ｔｏｕｔ’１（ｂ），Ｔｏｕｔ’２（ｂ），Ｔｏｕｔ’３（ｂ）とする。このとき、Ｔｏｕｔ’１（ｂ）は２７．１２３５℃であり、Ｔｏｕｔ’２（ｂ）は３２．０６１７であり、Ｔｏｕｔ’３（ｂ）は３５．５８９１℃である。
【０１９３】
また、測定点ｐ３（ｃ）におけるＴｏｕｔ’を、Ｔｏｕｔ’（ｃ）とし、Ｔｏｕｔ１〜Ｔｏｕｔ３に対応するＴｏｕｔ’（ｃ）を、Ｔｏｕｔ’１（ｃ），Ｔｏｕｔ’２（ｃ），Ｔｏｕｔ’３（ｃ）とする。このとき、Ｔｏｕｔ’１（ｃ）は２８．７５１６℃であり、Ｔｏｕｔ’２（ｃ）は３２．８７５８であり、Ｔｏｕｔ’３（ｃ）は３５．８２１７℃である。
【０１９４】
また、測定点ｐ３（ｄ）におけるＴｏｕｔ’を、Ｔｏｕｔ’（ｄ）とし、Ｔｏｕｔ１〜Ｔｏｕｔ３に対応するＴｏｕｔ’（ｄ）を、Ｔｏｕｔ’１（ｄ），Ｔｏｕｔ’２（ｄ），Ｔｏｕｔ’３（ｄ）とする。このとき、Ｔｏｕｔ’１（ｄ）は２８．３７１℃であり、Ｔｏｕｔ’２（ｄ）は３２．６８５５であり、Ｔｏｕｔ’３（ｄ）は３５．８９８３℃である。
【０１９５】
上述のとおり、第１温度Ｔｂ，第２温度Ｔｐ，環境温度Ｔｏｕｔの値または環境相当温度Ｔｏｕｔ’の値から、ａ，ｃ，ｄの各値を求め、ｄ／（１−ａ−ｃ）の演算によって、深部温度Ｔｃを求めることができる。
【０１９６】
環境温度Ｔｏｕｔを使用して求められた深部温度Ｔｃ１は、３６．９９９９であった。真の深部温度は３７℃であることから、測定誤差は、わずかに０．０００１℃である。
【０１９７】
環境相当温度Ｔｏｕｔ’（ａ）を使用して求められた深部温度Ｔｃ２は、３６．９９９９であり、Ｔｃ１と同様に、高精度な測定結果が得られた。
【０１９８】
環境相当温度Ｔｏｕｔ’（ｂ）を使用して求められた深部温度Ｔｃ３は、３６．９９９８であった。高精度な測定結果ではあるが、測定誤差は０．０００２℃であり、Ｔｃ１，Ｔｃ２に比べて、測定誤差は拡大されている。
【０１９９】
環境相当温度Ｔｏｕｔ’（ｃ）を使用して求められた深部温度Ｔｃ４は、３６．９９９６であった。高精度な測定結果ではあるが、測定誤差は０．０００４℃であり、Ｔｃ１〜Ｔｃ３に比べて、測定誤差は拡大されている。
【０２００】
環境相当温度Ｔｏｕｔ’（ｄ）を使用して求められた深部温度Ｔｃ５は、３６．９９９６（Ｔｃ４と同じ値）であった。高精度な測定結果ではあるが、測定誤差は０．０００４℃であり、Ｔｃ１〜Ｔｃ３に比べて、測定誤差は拡大されており、また、Ｔｃ４と同じ精度である。
【０２０１】
以上の測定結果から、まず、環境相当温度Ｔｏｕｔ’を測定するための第３温度センサー５５を、第１測定点ｐ３（ａ）〜第４測定点ｐ３（ｄ）のいずれに設置した場合でも、かなり高精度な深部温度Ｔｃの測定が可能であることがわかった。
【０２０２】
また、第３温度センサー５５を、測定点ｐ３（ａ）に設置したとき、環境温度Ｔｏｕｔを直接的に実測した場合と同等の、最も高い測定精度が実現されることがわかった。この点ついては、以下の理由が考えられる。まず、上記の第１算出式（式（１））は、環境温度Ｔｏｕｔ（環境相当温度Ｔｏｕｔ’）が、深部温度Ｔｃに等しいという条件の下で、補正演算によって導き出される。つまり、補正演算式における条件の仮定上、Ｔｏｕｔ（Ｔｏｕｔ’）＝Ｔｃとされることから、実際に測定された環境相当温度Ｔｏｕｔ’が、環境温度Ｔｏｕｔと若干、異なっていることは、補正演算上、特に影響がない。但し、補正演算式は、基材における温度分布が、環境温度Ｔｏｕｔに対して線形であることを前提としているため、演算に使用する環境温度Ｔｏｕｔ’の値と、実際の環境温度Ｔｏｕｔとの差が拡大した場合には、基材における温度分布が環境温度Ｔｏｕｔに対して線形であるという前提が満足されなくなる可能性があり、この場合には、深部温度の測定結果に誤差が生じる。この観点から、環境相当温度Ｔｏｕｔ’と環境温度Ｔｏｕｔとの差は、小さい方がよい。
【０２０３】
ここで、測定点ｐ３（ａ）は、基材４０の側面の頂部付近に位置しており、他の測定点と比較して、被測定体６から最も遠い位置にある。よって、測定点ｐ３（ａ）に設置された第３温度センサー５５は、被測定体６と環境７との間に生じる熱流の影響を受けにくく、よって、その分、環境相当温度Ｔｏｕｔ’と環境温度Ｔｏｕｔとの差を抑制することができる。したがって、深部温度Ｔｃの測定誤差が最も小さくなったものと考えられる。
【０２０４】
同様に、測定点ｐ３（ｂ）と測定点ｐ３（ｃ）とを比較したとき、測定点ｐ３（ｃ）の方が、熱源としての、被測定体６の深部４に近くに位置している。よって、第３温度センサー５５を、測定点ｐ３（ｃ）に設置したときには、第３温度センサー５５は、測定体６と環境７との間に生じる熱流の影響を、より受け易い。よって、その分、測定誤差が拡大されるものと考えられる。
【０２０５】
また、測定点ｐ３（ｄ）は、基材４０の内部（中央部付近）に位置している。基材４０の第１面ＳＲ１からの距離については、測定点ｐ３（ｂ）と同じであるが、基材４０の側面までの距離が異なっている。つまり、第３温度センサー５５を、測定点ｐ３（ｂ）に設置したときと、測定点ｐ３（ｄ）に設置したときとでは、環境７との熱交換の容易性に差が生じる。つまり、測定点ｐ３（ｄ）は、基材４０の内部に位置していることから、環境７との間の熱交換という点では、不利である。したがって、第３温度センサー５５を、測定点ｐ３（ｄ）に設置して得られる深部温度Ｔｃ５の測定精度は、Ｔｃ１〜Ｔｃ３に比べて低下する。
【０２０６】
よって、環境相当温度Ｔｏｕｔ’を測定するための第３温度センサー５５は、測定体６と環境７との間に生じる熱流の影響を受けにくく、かつ、環境７との熱交換が行われ易い地点に設置するのが好ましいことがわかる。具体的には、基材４０の内部よりも外表面上に設置するのが好ましい。例えば、第３温度センサー５５は、基材４０の側面付近に設置することができる。また、第３温度サンサ−５５は、被測定体６から遠い位置に配置するのが好ましい。例えば、第３温度センサー５５は、基材４０の側面の頂部付近に設置するのが、最も好ましい（但し、これに限定されるものではない）。
【０２０７】
図１２の例では、第１温度Ｔｂを測定するための第１測定点ｐ１ならびに第２温度Ｔｐを測定するための第２測定点ｐ２を固定した上で、第３温度Ｔｏｕｔ’を測定するための第３測定点の位置を変化させていた。
【０２０８】
次に、第３測定点ｐ３を固定した上で、第１測定点ｐ１ならびに第２測定点ｐ２の位置を変化させた場合についての実験例について説明する。この実験例によって、深部温度Ｔｃの測定に際して、第１測定点ｐ１ならびに第２測定点ｐ２が、基材４０において、どのような位置にあっても、十分に高精度な深部温度Ｔｃの測定結果が得られることが明らかとなる。
【０２０９】
以下、環境温度Ｔｏｕｔを３段階で変化させたときの、第１温度Ｔｂおよび第２温度Ｔｐのデータ例と、そのデータ例に基づいて算出された深部温度の例（算出結果例）について、図１３〜図１８を用いて説明する。なお、以下の例では、環境温度Ｔｏｕｔを、例えば、大気中に設けた大気温度センサー５４で３回、測定して、環境温度Ｔｏｕｔｎ（ｎ＝１，２，３）を得ている。
【０２１０】
（図１３の例）
図１３は、深部温度の算出結果の一例を示す図である。図１３では、被測定体６として人体を想定しており、深部４の温度Ｔｃを３７℃に設定している。この実験では、表層部５に相当する構造体の材料として、ポリ塩化ビニール（ＰＶＣ）を使用している。ポリ塩化ビニールの熱伝導率は、０．１４４２８３（Ｗ／ｍ・Ｋ）である。
【０２１１】
この表層部５に相当するＰＶＣ構造体（直方体）の厚みは２０ｍｍに設定している。また、このＰＶＣ構造体の上面の中央に、シリコンゴムで構成され、かつ、円柱形状を有する基材４０を設けている。シリコンゴムの熱伝導率は、０．０５（Ｗ／ｍ・Ｋ）である。
【０２１２】
また、基材４０の断面は円形状であり、その円の直径は２０ｍｍである。また、基材４０の高さは２ｍｍである。第１温度センサー５０と第２温度センサー５２は、基材４０の底面（つまり接触面）ＳＲ１に垂直な垂線Ｌ１上にある２点（第１測定点と第２測定点）の位置に設けられている。第１温度センサー５０と第２温度センサー５２との距離は２ｍｍである。つまり、第１測定点は、基材４０の底面（接触面）ＳＲ１上に設定されており、第２測定点は、基材４０の上面ＳＲ２上に設定されている。
【０２１３】
また、図１３の例において、環境（大気）７における熱伝達係数（大気の熱の移動度に比例する定数）は、０．０１Ｗ／ｍ２・Ｋに設定されている。環境温度（第３温度）Ｔｏｕｔ、第１温度Ｔｂならびに第２温度Ｔｐは、ｎ回測定される。本例では、３回の温度測定を実行する。よって、ｎは、１，２，３のいずれかである。
【０２１４】
Ｔｏｕｔ１は、２３℃であり、Ｔｏｕｔ２は３０℃であり、Ｔｏｕｔ３は３５℃である。Ｔｂ１は、２９．２８８４℃であり、Ｔｂ２は、３３．１４４２℃であり、Ｔｂ３は、３５．８９８３℃である。Ｔｐ１は、２７．４６０５℃であり、Ｔｐ２は、３２．２３０３℃であり、Ｔｂ３は、３５．６３２７℃である。
【０２１５】
測定（算出）された深部温度は、３６．９９９８６℃であり、実際の深部温度Ｔｃ（＝３７℃）と比較して、わずかの誤差しか含まない。つまり、小型化された基材４０を用いて、極めて高精度に深部温度を測定できることがわかった。
【０２１６】
（図１４の例）
図１４は、深部温度の算出結果の他の例を示す図である。図１４の例における測定環境や測定条件は、基本的には、図１３の例と同じである。但し、図１４の例では、第１温度センサー５０および第２温度センサー５２が、基材４０の側面上、かつ、垂線Ｌ２上に設けられている。第１温度センサー５０および第２温度センサー５２との距離は、２ｍｍである。
【０２１７】
Ｔｏｕｔ１は、２３℃であり、Ｔｏｕｔ２は３０℃であり、Ｔｏｕｔ３は３５℃である。Ｔｂ１は、２８．７５１６℃であり、Ｔｂ２は、３２．８７５８℃であり、Ｔｂ３は、３５．８２１７℃である。Ｔｐ１は、２６．２４８２℃であり、Ｔｐ２は、３１．６２４１℃であり、Ｔｂ３は、３５．４６４℃である。
【０２１８】
測定（算出）された深部温度は、３７．０００００℃であり、実際の深部温度Ｔｃ（＝３７℃）と比較して、誤差は認められなかった。つまり、小型化された基材４０を用いて、極めて高精度に深部温度を測定できることがわかった。
【０２１９】
（図１５の例）
図１５は、深部温度の算出結果の他の例を示す図である。図１５の例における測定環境や測定条件は、基本的には、前掲の例と同じである。但し、図１５の例では、第１温度センサー５０は、基材４０の接触面ＳＲ１の中心付近に設けられ、また、第２温度センサー５２は、基材４０の側面上に設けられている。
【０２２０】
Ｔｏｕｔ１は、２３℃であり、Ｔｏｕｔ２は３０℃であり、Ｔｏｕｔ３は３５℃である。Ｔｂ１は、２９．２８８４℃であり、Ｔｂ２は、３３．１４４２℃であり、Ｔｂ３は、３５．８９８３℃である。Ｔｐ１は、２６．２４８２℃であり、Ｔｐ２は、３１．６２４１℃であり、Ｔｂ３は、３５．４６４℃である。
【０２２１】
測定（算出）された深部温度は、３７．０００００℃であり、実際の深部温度Ｔｃ（＝３７℃）と比較して、誤差は認められなかった。つまり、小型化された基材４０を用いて、極めて高精度に深部温度を測定できることがわかった。
【０２２２】
（図１６の例）
図１６は、深部温度の算出結果の他の例を示す図である。図１６の例における測定環境や測定条件は、基本的には、前掲の例と同じである。但し、図１６の例では、第１温度センサー５０は、基材４０の上面ＳＲ２上に設けられている。第２温度センサー５２は、基材４０の側面上に設けられている。第２温度センサー５２は、第１温度センサー５０を通り、かつ、接触面ＳＲ２に平行な直線Ｌ３上に設けられている。つまり、第１温度センサー５０と第２温度センサー５２は、横一線の位置にある。
【０２２３】
Ｔｏｕｔ１は、２３℃であり、Ｔｏｕｔ２は３０℃であり、Ｔｏｕｔ３は３５℃である。Ｔｂ１は、２８．７５１６℃であり、Ｔｂ２は、３２．８７５８℃であり、Ｔｂ３は、３５．８２１７℃である。Ｔｐ１は、２６．２４８２℃であり、Ｔｐ２は、３１．６２４１℃であり、Ｔｂ３は、３５．４６４℃である。
【０２２４】
測定（算出）された深部温度は、３７．０００００℃であり、実際の深部温度Ｔｃ（＝３７℃）と比較して、誤差は認められなかった。つまり、小型化された基材４０を用いて、極めて高精度に深部温度を測定できることがわかった。
【０２２５】
以上の実験結果から、第１温度センサー５０および第２温度センサー５２の相対位置関係は、特に問題とならないことがわかる。つまり、第１温度センサー５０および第２温度センサー５２が、熱源（被測定体の深部）を通る鉛直線上にあってもよく、また、第１温度センサー５０および第２温度センサー５２が、横一線の位置にあってもよい。
【０２２６】
すなわち、第１温度センサー５０が設けられる第１測定点および第２温度センサー５２が設けられる第２測定点は、基材４０の外表面（上記の例でいえば、底面である瀬接触面ＳＲ１、上面ＳＲ２ならびに側面のいずれか）上、または、基材４０の内部に位置する２点であればよい。但し、行列式を使用した深部温度の算出を行うためには、少なくとも、環境温度（第３温度）Ｔｏｕｔ１，Ｔｏｕｔ２，Ｔｏｕｔ３のいずれかに対応する一組のＴｂとＴｐが同じ値ではない（Ｔｂ≠Ｔｐ）という条件を満足する必要がある。すなわち、３組の第１温度Ｔｂと第２温度Ｔｐのうち、少なくとも１組のＴｂとＴｐに温度差が生じていることが必要である。よって、この条件を満足するように、第１ユニット１００を設計する。
【０２２７】
次に、基材４０の内部における温度分布と測定結果との関係について考察する。図１７（Ａ）および図１７（Ｂ）は、基材の内部における温度分布と測定結果との関係の一例を示す図である。図１７（Ａ）に示されるデータ例は、図１３に示したデータ例と同じである。図１７（Ｂ）は、Ｔｏｕｔ１（＝２３℃）における、基材４０の垂線方向の温度分布を示す図である。図１７（Ｂ）では、横軸が、接触面ＳＲ１を基準とした、垂線Ｌ１方向の距離であり、縦軸が、基材４０の温度である。図１７（Ｂ）に示されるように、基材４０の温度は、熱源（被測定体６の深部４）から離れるにつれて、直線状に低下する。
【０２２８】
図１７（Ａ）のデータ例は、図１７（Ｂ）に示すような、基材４０の熱分布の下で深部温度を算出した結果であり、先に説明したように、極めて高精度な測定結果が得られている。
【０２２９】
図１８（Ａ）および図１８（Ｂ）は、基材の内部における温度分布と測定結果との関係の他の例を示す図である。図１８（Ａ）の例における測定環境や測定条件は、基本的には、図１７（Ａ）の例と同じである。但し、図１８（Ａ）の例では、基材４０の高さを２０ｍｍとし、図１７（Ａ）の例における基材４０の高さ（２ｍｍ）の１０倍としている。このように、基材４０の高さを高くすると、円柱の側面の面積が増加することから、円柱状の基材４０の側面からの放熱が増加する。そして、その側面からの放熱の量は、熱源（被測定体６の深部４）からの距離に対応して変化する。
【０２３０】
図１８（Ｂ）は、Ｔｏｕｔ１（＝２３℃）における、基材４０の垂線方向の温度分布を示す図である。図１８（Ｂ）では、横軸が、接触面ＳＲ１を基準とした、垂線Ｌ１方向の距離であり、縦軸が、基材４０の温度である。図１８（Ｂ）に示されるように、基材４０の温度は、熱源（被測定体６の深部４）から離れるにつれて低下するが、温度分布を示す特性線は直線とはならず、曲線となる。先に説明したように、基材４０の高さを高くすると、円柱の側面の面積が増加し、円柱状の基材４０の側面からの放熱が増加し、そして、その側面からの放熱の量は、熱源（被測定体６の深部４）からの距離に対応して変化するからである。
【０２３１】
図１８（Ａ）のデータ例は、図１８（Ｂ）に示すような、基材４０の熱分布の下で深部温度を算出した結果である。Ｔｏｕｔ１は、２３℃であり、Ｔｏｕｔ２は３０℃であり、Ｔｏｕｔ３は３５℃である。Ｔｂ１は、２９．６２２７４℃であり、Ｔｂ２は、３３．３１１３７℃であり、Ｔｂ３は、３５．９４６１１℃である。Ｔｐ１は、２３．２９５２６℃であり、Ｔｐ２は、３０．１４７６３℃であり、Ｔｂ３は、３５．０４２１８℃である。測定（算出）された深部温度は、３７．０００００℃であり、実際の深部温度Ｔｃ（＝３７℃）と比較して、誤差は認められなかった。つまり、基材４０の内部の温度分布が、曲線で表される場合であっても、本実施形態の温度測定方法を使用すれば、極めて高精度に深部温度を測定できることがわかった。したがって、基材４０の高さに制約はなく、また、接触面の面積と基材４０の高さの比に関する制限もない。よって、かなり自由に、第１ユニット１００を構成することができる。
【０２３２】
（第２の実施形態）
本実施形態では、深部温度の算出式として、前掲の実施形態とは異なる第２の算出式を使用する。また、本実施形態では、温度の測定（温度情報の取得）を、少なくとも２回、実行する。
【０２３３】
図１９は、第２の実施形態における、深部温度の測定方法を説明するための図である。図１９に示すように、本実施形態では、第１測定と第２測定を実行し、第１測定における環境温度Ｔｏｕｔ１（ならびに第３温度Ｔｏｕｔ１’）と、第２測定における環境温度Ｔｏｕｔ２（第３温度Ｔｏｕｔ２’）とを異ならせる。
【０２３４】
第１測定で得られた第１温度をＴｂ１とし、第２温度をＴｐ１とし、第３温度をＴｏｕｔ１’とし、第２測定で得られた第１温度をＴｂ２とし、第２温度をＴｐ２とし、第３温度をＴｏｕｔ２’とする。
【０２３５】
演算部７４は、第１測定で得られた第１温度Ｔｂ１および第２温度Ｔｐ１と、第２測定で得られた第１温度Ｔｂ２および第２温度Ｔｐ２と、を用いて、第２算出式による演算を実行して、深部温度Ｔｃを算出する。前記第２算出式は、下記の式（１１）によって表される。
【数１７】
0005578029.tif 000018
式（１１）による第２算出式を使用するときは、上述のとおり、第２測定における環境温度Ｔｏｕｔ２の値（第３温度Ｔｏｕｔ２’）が、第１測定における環境温度Ｔｏｕｔ１（第３温度Ｔｏｕｔ１’）とは異なる値である必要がある。
【０２３６】
式（１１）で示される第２算出式によると、熱収支に起因する誤差成分を生じさせずに、深部温度を測定できる理由について、図２０および図２１を用いて説明する。
【０２３７】
図２０（Ａ）および図２０（Ｂ）は、特許文献１に示される従来例において、熱収支に起因する誤差成分が生じる理由を説明するための図である。図２０（Ａ）は、従来例の温度測定部における、６点の温度（Ｔ１，Ｔ２，Ｔｔ１、Ｔ２，Ｔ４，Ｔｔ２）および熱抵抗の状態を示している。図２０（Ｂ）は、図２０（Ａ）に示される温度測定部における、環境温度（第３温度）Ｔｏｕｔと深部温度Ｔｃと間の、熱抵抗と熱流束の状態を示している。
【０２３８】
従来例では、並列に配置された２つの温度測定部を使用して、２つの熱流の系を形成している。また、環境温度（第３温度）Ｔｏｕｔは一定であり、また、基材３７の上面に設けられた第１断熱材３８Ａおよび第２断熱材３８Ｂによって、温度測定部は、環境（大気）から、熱的に遮断されている。また、環境（大気）における熱伝達係数（気体中の熱の移動度に比例する定数）はｎである。また、被測定体の表層部の熱抵抗をＲｂとし、基材３７の熱抵抗をＲ１とし、第１断熱材３８Ａの熱抵抗をＲ２とし、第２断熱材３８Ｂの熱抵抗をＲ３としている。
【０２３９】
従来例では、環境温度Ｔｏｕｔが一定であるという前提の下で、断熱材３８Ａと断熱材３８Ｂとを異ならせることによって、異なる２つの熱流束を形成している。つまり、従来例では、熱流束Ｑｂ１と、熱流束Ｑ１１と、熱流束Ｑ１２との間に、Ｑｂ１＝Ｑ１１＝Ｑ１２という関係が成立し、また、熱流束Ｑｂ２と、熱流束Ｑ２１と、熱流束Ｑ２２との間に、Ｑｂ２＝Ｑ２１＝Ｑ２２という関係が成立することを前提としている。
【０２４０】
しかし、温度測定部の小型化が促進されると、第１の系の３点の温度（Ｔ１，Ｔ２，Ｔｔ１）ならびに第２の系における３点の温度（Ｔ２，Ｔ４，Ｔｔ２）は、環境温度（第３温度）Ｔｏｕｔの影響を受けるようになる。よって、Ｑｂ１＝Ｑ１１＝Ｑ１２、ならびに、Ｑｂ２＝Ｑ２１＝Ｑ２２であるという前提が成立しなくなる。この場合には、従来例の算出式である式（Ｆ）の左辺は、Ｔｃ＋ΔＴｃとなり、熱収支の差分に相当する測定誤差ΔＴｃが生じる。
【０２４１】
つまり、特許文献１に記載される温度計では、温度測定部を、表層部に設けられた断熱材によって環境（大気）から遮断した構成となっており、したがって、熱流束は温度測定部の頂部にて終端し、環境（大気）との間の熱収支はほとんどなく、無視できるという設計思想の下で設計されている。しかし、温度計の小型化を、さらに促進した場合には、例えば、温度測定部の側面と環境（大気）との間での熱収支が顕在化し、熱収支の差分に対応する測定誤差を無視できなくなる。
【０２４２】
図２１（Ａ）および図２１（Ｂ）は、本発明の第２実施形態において、熱収支に起因する誤差成分が生じない理由を説明するための図である。図２１（Ａ）は、第２実施形態にかかる温度測定部における温度と熱抵抗の状態を示している。図２１（Ｂ）は、図２１（Ａ）に示される温度測定部における、環境温度Ｔｏｕｔ１，Ｔｏｕｔ２と、深部温度Ｔｃと間の、熱抵抗と熱流束の状態を示している。
【０２４３】
本実施形態では、少なくとも２回の温度測定（温度情報の取得）を実行し、各温度測定では、環境温度Ｔｏｕｔの値を異ならせている（Ｔｏｕｔ１≠Ｔｏｕｔ２）。環境温度を異にして、２回の温度測定を実行したとき、第１測定では、始端を被測定体の深部４とし、終端を環境（大気等）とする第１の熱流束の系が構成されることになる。また、第２測定では、始端を被測定体の深部とし、終端を環境（大気等）とする第２の熱流束の系が構成される。環境温度Ｔｏｕｔは、各系で異なることから、各系の熱流束は互いに異なる熱流束である。
【０２４４】
また、環境（大気）７における熱伝達係数（気体中の熱の移動度に比例する定数）はｎである。第１温度はＴｂ１（あるいはＴ１），Ｔｂ２（あるいはＴ３）である。また、第２温度はＴｐ１（あるいはＴ２），Ｔｐ２（あるいはＴ４）である。被測定体６の表層部５における熱抵抗はＲｂであり、基材４０の熱抵抗はＲ１である。また、図２１（Ｂ）に示されるように、第１の系においては、熱流束Ｑｂ１と、熱流束Ｑ１１と、熱流束Ｑａ１が生じている。第２の系においては、熱流束Ｑｂ２と、熱流束Ｑ２１と、熱流束Ｑａ２が生じている。
【０２４５】
これらの２つの熱流束の系では、熱流束の終端が、温度の変動が許容されている環境７であることから、従来例において問題となる熱収支の差分という概念が生じない。つまり、その熱収支も含めて、環境温度Ｔｏｕｔ（ならびに第３温度Ｔｏｕｔ’）が一義的に定まる（適宜、変動する）というだけである。
【０２４６】
また、使用している基材４０の熱伝導率（つまり熱抵抗）は、第１の熱流束の系、第２の熱流束の系で同じである。つまり、熱抵抗の分布は、第１の系と第２の系との間で、何ら変化しない。よって、基材に第１測定点と第２測定を設定したとき、（第１測定点と第２測定点の温度の差）／（被測定体の深部温度Ｔｃと第１測定点の温度の差）は、第１の熱流束の系、第２の熱流束の系ともに同じである。よって、下記の式が成立する。
【数１８】
0005578029.tif 000019
この式（１２）を、Ｔｃについて解くと、上述の第２算出式（上記の式（１１））が得られる。従来例における、ΔＴｃという誤差成分の概念自体が生じないことから、第２算出式によれば、ほぼ理想的な深部温度Ｔｃが得られる。
【０２４７】
第２算出式（式（１１））は、形式的には従来例における算出式（式（Ｆ））と同じように見えるが、第２算出式（式（１１））は、従来例の算出式（式（Ｆ））とは、根本的に異なる算出式である。つまり、第２算出式（式（１１））は、環境を終端とする２つの熱流束の系から得られたデータに基づいて、基材における熱抵抗の比が同じであるという観点から導き出される算出式であり、根本的に異なるものである。
【０２４８】
なお、本実施形態では、環境温度Ｔｏｕｔ（ならびに第３温度Ｔｏｕｔ’）は、深部温度Ｔｃの算出自体には直接的には関係しない。但し、上述のとおり、第１測定におけるＴｏｕｔ１（ならびにＴｏｕｔ１’）と、第２測定におけるＴｏｕｔ２（ならびにＴｏｕｔ２’）とは異なっている必要があり、Ｔｏｕｔ１＝Ｔｏｕｔ２（Ｔｏｕｔ１’＝Ｔｏｕｔ２’）であるときは、正確な深部温度の算出ができない。
【０２４９】
よって、第３温度センサー５５で測定された、Ｔｏｕｔに相当する第３温度Ｔｏｕｔ’は、算出可能条件（第１測定と第２測定における環境温度（つまり第３温度）が異なるという条件）が満足されているかを確認するために、つまり、演算の可否の判断に使用することができる。
【０２５０】
図２２（Ａ）および図２２（Ｂ）は、第２実施形態における、深部温度の測定手順と、第２実施形態における深部温度の算出結果例を示す図である。まず、温度データが取得される（ステップＳ４０）。温度データには、第１測定で得られた第１温度Ｔｂ１、第２温度Ｔｐ１、第３温度Ｔｏｕｔ１’と、第２測定で得られた第１温度Ｔｂ２、第２温度Ｔｐ２、第３温度Ｔｏｕｔ２’（≠Ｔｏｕｔ１’）と、が含まれる。次に、第２算出式を用いて、深部温度Ｔｃを演算する（ステップＳ５０）。
【０２５１】
図２２（Ｂ）は、第２実施形態における深部温度の算出結果例を示す図である。ここでは、図１３に示される測定環境を使用する。第１測定における第３温度(環境相当温度)Ｔｏｕｔ１’が２３℃のとき、第１温度Ｔｂ１は２８．３７１℃であり、第２温度Ｔｐ１は２６．２４８２℃となる。第２測定における環境相当温度（第３温度）Ｔｏｕｔ２’が３０℃のとき、第１温度Ｔｂ２は３２．６８５５℃であり、第２温度Ｔｐ２は３１．６２４１℃となる。熱源となる深部温度Ｔｃは３７℃に設定されている。この深部温度に対する算出結果は３７．０００００であり、誤差は生じなかった。よって、本実施形態によれば、極めて高精度に、深部温度を測定できることがわかった。
【０２５２】
以上説明したように、本発明の少なくとも一つの実施形態によれば、より高精度な深部温度の測定が可能となる。また、温度測定部の小型化と、高精度な測定とを両立することができる。
【０２５３】
以上、いくつかの実施形態について説明したが、本発明の新規事項および効果から実体的に逸脱しない多くの変形が可能であることは当業者には容易に理解できるものである。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。
【符号の説明】
【０２５４】
４  深部、５  表層部、６  被測定体（人体等）、７  環境（周囲媒体、環境媒体）、
８  剥離テープ、９  粘着層、  １０  貼付構造（粘着テープ）、
２０ａ，２０ｂ  断熱材、４０  基材、４３  温度測定部、５０  第１温度センサー、
５２  第２温度センサー、５５  第３温度センサー、１００  第１ユニット、
２００  第２ユニット
【図１】
0005578029.tif 000023
【図２】
0005578029.tif 000024
【図３】
0005578029.tif 000025
【図４】
0005578029.tif 000026
【図５】
0005578029.tif 000027
【図６】
0005578029.tif 000028
【図７】
0005578029.tif 000029
【図８】
0005578029.tif 000030
【図９】
0005578029.tif 000031
【図１０】
0005578029.tif 000032
【図１１】
0005578029.tif 000033
【図１２】
0005578029.tif 000034
【図１３】
0005578029.tif 000035
【図１４】
0005578029.tif 000036
【図１５】
0005578029.tif 000037
【図１６】
0005578029.tif 000038
【図１７】
0005578029.tif 000039
【図１８】
0005578029.tif 000040
【図１９】
0005578029.tif 000041
【図２０】
0005578029.tif 000042
【図２１】
0005578029.tif 000043
【図２２】
0005578029.tif 000044
【図２３】
0005578029.tif 000045
【図２４】
0005578029.tif 000046
【図２５】
0005578029.tif 000047